(57)【要約】  本発明は、油脂植物産物の品質及び場合により量を増加させるための特定の殺菌剤の使用並びに種子油脂植物の種皮のもろさを減らすための前記殺菌剤の使用に関する。本発明は、前記殺菌剤で処理した油脂植物から得た油脂植物産物、例えば処理した油脂植物からの油又は種子にも関する。更に、本発明は、本発明の油及び／又はその変換生成物を含有する再生燃料に関する。最後に、本発明は、本発明に従って製造される適当な油脂植物産物により少なくとも部分的に作動させるモーター及び燃焼プラントにおける燃焼を向上させる方法に関する。【選択図】  なし【特許請求の範囲】
【請求項１】
油科作物産物の品質及び適当ならば量を増加させるための、アリール−及びヘテロシクリルアニリド、カルバメート、ジカルボキシイミド、アゾール、ストロビルリン並びにモルホリンから選択される少なくとも１つの殺菌剤の使用であって、前記品質の増加が以下の基準：
(i)少なくとも１つの油脂植物産物のリン含量の減少；
(ii)少なくとも１つの油脂植物産物のアルカリ金属及び／又はアルカリ土類金属含量の減少；
(iii)少なくとも１つの油脂植物産物の酸化に対する安定性の増加；
(iv)少なくとも１つの油脂植物産物の全体的汚染の減少；
(v)少なくとも１つの油脂植物産物のヨウ素価の低下；
(vi)少なくとも１つの油脂植物産物の酸価の低下；
(vii)少なくとも１つの油脂植物産物の動粘度の低下；
(viii)少なくとも１つの油脂植物産物の硫黄含量の減少；
(ix)少なくとも１つの油脂植物産物の引火点の上昇；
(x)少なくとも１つの油脂植物産物の真発熱量の増加；
(xi)少なくとも１つの油脂植物産物のコークス残留物の減少；
(xii)少なくとも１つの油脂植物産物のセタン価の上昇；
(xiii)少なくとも１つの油脂植物産物の窒素含量の減少；
(xiv)少なくとも１つの油脂植物産物の塩素含量の減少；並びに
(xv)少なくとも１つの油脂植物産物の錫、亜鉛、ケイ素及び／又はホウ素含量の減少；
から選択される前記使用。
【請求項２】
油科作物産物が果実、種子、プレスケーキ、油、及び油科作物から得た油の反応生成物から選択される、請求項１に記載の使用。
【請求項３】
油の反応生成物が油とＣ１−Ｃ４−アルコールとのエステル交換反応生成物である、請求項２に記載の使用。
【請求項４】
油科作物産物が油科作物から得た油及びその反応生成物から選択される、請求項２又は３に記載の使用。
【請求項５】
油科作物がアブラナ、ターニップレイプ、マスタード、オイルラディッシュ、アマナズナ(false flax)、キバナスズシロ、ハマナ、ヒマワリ、ベニバナ、アザミ、キンセンカ、大豆、ルピナス、アマ、アサ、オイルパンプキン、ポピー、トウモロコシ、アブラヤシ及び落花生から選択される、請求項１〜４のいずれか１項に記載の使用。
【請求項６】
種子油科作物の種皮のもろさを減らすための、アリール−及びヘテロシクリルアニリド、カルバメート、ジカルボキシイミド、ストロビルリン、アゾール並びにモルホリンから選択される殺菌剤の使用。
【請求項７】
種子油科作物がアブラナ、ターニップレイプ、マスタード、オイルラディッシュ、アマナズナ、キバナスズシロ、ハマナ、ヒマワリ、ベニバナ、アザミ、キンセンカ、大豆、ルピナス、アマ、アサ、オイルパンプキン及びポピーから選択される、請求項６に記載の使用。
【請求項８】
殺菌剤がアリール−及びヘテロシクリルアニリド、アゾール、ストロビルリン並びにそれらの混合物から選択される、請求項１〜７のいずれか１項に記載の使用。
【請求項９】
アリール−及びヘテロシクリルアニリドが式Ｉ：
Ａ−ＣＯ−ＮＨＲ１
［式中、
Ａはアリール基、又は環員としてＯ、Ｓ、Ｎ及びＮＲ２（ここで、Ｒ２は水素又はＣ１−Ｃ８−アルキルである）から選択される１〜３個のヘテロ原子若しくはヘテロ原子含有基を含む芳香族若しくは非芳香族の５員若しくは６員のヘテロ環であり、前記アリール基又はヘテロ環はハロゲン、Ｃ１−Ｃ８−アルキル、Ｃ１−Ｃ８−ハロアルキル、Ｃ１−Ｃ８−アルコキシ、Ｃ１−Ｃ８−ハロアルコキシ、Ｃ１−Ｃ８−アルキルチオ、Ｃ１−Ｃ８−アルキルスルフィニル及びＣ１−Ｃ８−アルキルスルホニルから相互に独立して選択される１、２又は３個の置換基を有していてもよく；
Ｒ１はＣ１−Ｃ８−アルキル、Ｃ２−Ｃ８−アルケニル、Ｃ２−Ｃ８−アルキニル、Ｃ１−Ｃ８−アルコキシ、Ｃ２−Ｃ８−アルケニルオキシ、Ｃ２−Ｃ８−アルキニルオキシ、Ｃ３−Ｃ８−シクロアルキル、Ｃ３−Ｃ８−シクロアルケニル、Ｃ３−Ｃ８−シクロアルキルオキシ、Ｃ３−Ｃ８−シクロアルケニルオキシ、フェニル及びハロゲンから相互に独立して選択される１、２又は３個の置換基を有していてもよいフェニル基であり、前記脂肪族及びシクロ脂肪族基は部分的若しくは完全にハロゲン化されていてもよく、並びに／又は前記シクロ脂肪族基は１、２又は３個のＣ１−Ｃ８−アルキル基で置換されていてもよく、前記フェニルは１〜５個のハロゲン原子並びに／又はＣ１−Ｃ８−アルキル、Ｃ１−Ｃ８−ハロアルキル、Ｃ１−Ｃ８−アルコキシ、Ｃ１−Ｃ８−ハロアルコキシ、Ｃ１−Ｃ８−アルキルチオ及びＣ１−Ｃ８−ハロアルキルチオから相互に独立して選択される１、２又は３個の置換基で置換されていてもよく、アミドフェニル基Ｒ１は、１、２又は３個のＣ１−Ｃ８−アルキル基で置換されていてもよく且つ／或いは環員としてＯ及びＳから選択されるヘテロ原子を含有していてもよい飽和５員環に縮合していてもよい］
を有する化合物から選択される、請求項１〜８のいずれか１項に記載の使用。
【請求項１０】
式Ｉを有するアニリドが式Ｉ．１：
【化１】
2009525373.tif 000020
［式中、Ａは式Ａ１〜Ａ８：
【化２】
2009525373.tif 000021
（式中、
ＸはＣＨ２、Ｓ、ＳＯ又はＳＯ２であり；
Ｒ３はＣＨ３、ＣＨＦ２、ＣＦ３、Ｃｌ、Ｂｒ又はＩであり；
Ｒ４はＣＦ３又はＣｌであり；
Ｒ５は水素又はＣＨ３であり；
Ｒ６はＣＨ３、ＣＨＦ２、ＣＦ３又はＣｌであり；
Ｒ７は水素、ＣＨ３又はＣｌであり；
Ｒ８はＣＨ３、ＣＨＦ２又はＣＦ３であり；
Ｒ９は水素、ＣＨ３、ＣＨＦ２、ＣＦ３又はＣｌである）
を有する基であり、
Ｒ１０はＣ１−Ｃ４−アルキル、Ｃ１−Ｃ４−アルコキシ、Ｃ１−Ｃ４−アルキルチオ又はハロゲンである］
を有するアニリドから選択される、請求項９に記載の使用。
【請求項１１】
Ａが基Ａ２（式中、Ｒ４はハロゲンである）であり、Ｒ１０がハロゲンである、請求項１０に記載の使用。
【請求項１２】
アニリドＩが式Ｉ．１．１及びＩ．１．２：
【化３】
2009525373.tif 000022
を有するアニリドから選択される、請求項１１に記載の使用。
【請求項１３】
アゾールがフルシラゾール、メトコナゾール、プロチオコナゾール及びテブコナゾールから選択される、請求項１〜１２のいずれか１項に記載の使用。
【請求項１４】
ストロビルリンがアゾキシストロビン、ジモキシストロビン及びピラクロストロビンから選択される、請求項１〜１３のいずれか１項に記載の使用。
【請求項１５】
油科作物がアブラナ及びターニップレイプから選択される、請求項１〜１４のいずれか１項に記載の使用。
【請求項１６】
生育相中の油科作物又はその植物部分、或いはその種子を請求項１又は８〜１４のいずれか１項に記載の少なくとも１つの殺菌剤で処理し、油科作物産物を得る、油科作物産物の品質及び適当ならば量を増加させる方法であって、前記品質の増加が以下の基準：
(i)少なくとも１つの油脂植物産物のリン含量の減少；
(ii)少なくとも１つの油脂植物産物のアルカリ金属及び／又はアルカリ土類金属含量の減少；
(iii)少なくとも１つの油脂植物産物の酸化に対する安定性の増加；
(iv)少なくとも１つの油脂植物産物の全体的汚染の減少；
(v)少なくとも１つの油脂植物産物のヨウ素価の低下；
(vi)少なくとも１つの油脂植物産物の酸価の低下；
(vii)少なくとも１つの油脂植物産物の動粘度の低下；
(viii)少なくとも１つの油脂植物産物の硫黄含量の減少；
(ix)少なくとも１つの油脂植物産物の引火点の上昇；
(x)少なくとも１つの油脂植物産物の真発熱量の増加；
(xi)少なくとも１つの油脂植物産物のコークス残留物の減少；
(xii)少なくとも１つの油脂植物産物のセタン価の上昇；
(xiii)少なくとも１つの油脂植物産物の窒素含量の減少；
(xiv)少なくとも１つの油脂植物産物の塩素含量の減少；並びに
(xv)少なくとも１つの油脂植物産物の錫、亜鉛、ケイ素及び／又はホウ素含量の減少；
から選択される前記方法。
【請求項１７】
請求項１６に記載の方法により得ることができる油科作物産物。
【請求項１８】
種子、プレスケーキ、油、及び前記油の反応生成物から選択される、請求項１７に記載の油科作物産物。
【請求項１９】
油及びその反応生成物から選択される、請求項２０に記載の油科作物産物。
【請求項２０】
油の反応生成物が油とＣ１−Ｃ４−アルコールとのエステル交換反応生成物から選択される、請求項２１に記載の油科作物産物。
【請求項２１】
生育相中の種子油科作物又はその植物部分、或いはその種子を請求項１又は８〜１４のいずれか１項に記載の少なくとも１つの殺菌剤で処理する、種子油科作物の種皮のもろさを減らす方法。
【請求項２２】
殺菌剤を５〜３０００ｇの各活性物質／ｈａ／シーズンの施用率で使用する、請求項１６又は２１に記載の方法。
【請求項２３】
請求項１９に記載の油及び／又は請求項２０に記載の少なくとも１つの前記油とＣ１−Ｃ４−アルコールとのエステル交換反応生成物を含む再生可能燃料。
【請求項２４】
エンジン又は炉設備を少なくともある程度まで請求項１７〜２０のいずれか１項に記載の油科作物産物又は請求項２３に記載の再生可能燃料を用いて作動させる、エンジン及び炉設備における燃焼を改善する方法。
【発明の詳細な説明】
【技術分野】
【０００１】
本発明は、油科作物産物の品質及び適当ならば量を増加させるための特定の殺菌剤の使用に関する。本発明は、種子油科作物の種皮のもろさを減らすための前記殺菌剤の使用にも関する。更に、本発明は、前記殺菌剤で処理した油科作物から得ることができる油科作物産物、例えばこの方法で処理した油科作物からの油又は種子にも関する。更に、本発明は、本発明の油及び／又はその反応生成物を含有する再生可能燃料にも関する。最後に、本発明は、本発明の適当な油科作物産物により少なくともある程度まで作動するエンジン及び炉設備における燃焼を向上させる方法に関する。
【背景技術】
【０００２】
化石燃料の枯渇が予想される結果として、エネルギー部門は植物油、バイオディーゼルやバイオエタノールのような再生可能燃料にますます関心を向けている。バイオディーゼルは脂肪酸の低級アルキルエステル、特にメチルエステルを指す。これらは、植物油（例えば、ナタネ油）のみならず、使用済みの脂肪及び使用済みの油、並びに天然にトリグリセリドの形態で存在する動物性脂肪をアルコール（例えば、メタノール）でエステル交換することにより得ることができる。植物油は通常油科作物の油含有植物部分（例えば、油含有果実又は種子）を圧搾することにより得られる。しかしながら、低温圧搾及び特に高温圧搾すると、リン化合物及びミネラル化合物、例えばアルカリ金属及び特にアルカリ土類金属化合物、主にカルシウム化合物及びマグネシウム化合物の含量が比較的に高い油が生ずる。油中だけでなくその反応生成物中にも存在し得る前記化合物はエンジン及び炉設備における燃焼に悪影響を及ぼす恐れがある。更に、前記化合物はエンジンの材料の寿命にマイナスの影響を有する。排気システムに対するマイナスの影響も無視できない。よって、上記化合物は燃焼作動中に例えばディーゼル車の粒子フィルターに負担をかける灰をかなり形成する。灰は粒子フィルターを再生することによっても除去できず、フィルター中に残存し、これにより排気ガスの逆圧が高まる。排気ガスの逆圧が高まると、ディーゼルエンジンが故障する。加えて、リン化合物は触媒毒として作用し、例えばディーゼル車中の酸化タイプの触媒コンバータ及び実用車（例えば、トラック及びトラクター）中のＳＣＲタイプの触媒コンバータの耐用年数を短くする。同様の問題が暖房設備でも起こり得る。これらの問題を避けるため、そして非常に近い将来に予想され得るパワー燃料としてのナタネ油に対するＤＩＮ規格（Ｅ  ＤＩＮ  ５１６０５）を満たすこともできるように、バイオディーゼル又はバイオディーゼルの主成分である植物油は現在複雑な加工手順にかけられている。
【０００３】
上記したナタネ油に対するＤＩＮ規格を満たしたとしても、植物油又はその反応生成物の輸送、貯蔵又は燃焼に問題がないとは保証し得ない。特定のリン化合物、特にリン脂質が植物油中にＤＩＮ  ５１６０５に規定されているリン限界以下の量でしか存在していなくても、特定のリン化合物はエンジン、タンク及び工業生産プラント中のモーター燃料フィルターを目詰まりさせる。従って、ＤＩＮ  ５１６０５により規定される量以上に油中のリン含量及び他の望ましくない随伴物質の含量を減らすことが望ましい。
【０００４】
食品部門及び化粧品部門において植物油を使用したり、食品部門において例えば種子及びプレスケーキ由来の油科作物産物を使用するとき、リン化合物、特にホスフェートは例えば健康上の理由で問題となり得る。
【０００５】
上記したリン化合物及びミネラル化合物は、元々油生産植物部分（例えば、果実パルプ又は種子）それ自体に由来している。植物油を種子油科作物の種子から得る場合、リン化合物及び／又はアルカリ金属及びアルカリ土類金属化合物の少なくとも一部は種皮に由来している。前記化合物は種皮から特に圧搾手順中に高圧をかけると抽出される。十分に大量の油を得るために必要な高い圧力をかけると、通常非常にもろい種皮は破れる。この結果、肉眼で見える微細な断片が油に入った後、懸濁物として目に見えるだけでなく、種皮の表面が拡大し、望ましくない二次物質が多く抽出される。
【０００６】
原則としてプレスケーキや種子のような植物部分のすべてが再生可能なモーター燃料として使用され得るので、これらの油脂植物産物のリン及びミネラルができるだけ少ないことも重要である。
【０００７】
油科作物産物、特に植物油及び適当ならばその反応生成物の別の問題は、エンジン及び炉設備（例えば、ボイラー）を腐食させる恐れがある酸含量である。
【０００８】
更に、できるだけ最低のヨウ素価を有する植物油及びその反応生成物を提供することが望ましい。ヨウ素価は、油又はその反応生成物の主成分である脂肪酸分子中のＣ−Ｃ二重結合の数、すなわち油の不飽和性の目安である。高いヨウ素価を有する油は酸化に対してより敏感であり、従って高飽和度を有する油に比してより迅速に樹脂化するので貯蔵安定性は悪い。全体として、貯蔵安定性の重要な観点である十分な耐酸化性が商業化を成功させるためには必須であるので、耐酸化性ができるだけ高い植物油又はその反応生成物を提供することが望ましい。耐酸化性は、油の飽和度だけでなく、抗酸化剤（例えば、ビタミンＡ又はビタミンＥ）の存在によっても決められる。
【０００９】
植物油の特にモーター燃料部門での使用の観点に関する別の問題は、粘度が鉱物モーター燃料と比較して比較的高いことである。燃料インジェクター（液滴スペクトル及び噴射ストリングの幾何構造）での流動、ポンピング及び噴霧挙動が乏しいために、粘度が高いと特に低温始動の問題が生ずる。従って、より低い粘度、特により低い動粘度を有する植物油を提供できることが望ましい。
【００１０】
エネルギーを提供する際の使用に関して、油脂植物産物、特に植物油及びその反応生成物の諸特性、例えば油脂植物産物、特に植物油又は反応生成物のより高い引火点、より高い発熱量、より高いセタン価、より少ないコークス残留物、より少ない硫黄含量、より少ない窒素含量、より少ない塩素含量、及びより少ない特定の（セミ）金属化合物（例えば、亜鉛化合物、錫化合物、ホウ素化合物及びケイ素化合物）の含量を更に改善することも望ましい。
【００１１】
引火点は、密閉容器において外部から供給した発火力により発火され得る蒸気／空気混合物が形成するのに十分な蒸気が発生する測定温度を意味する。引火点は流体を危険性物質のクラスに分類するために使用される。勿論、できるだけ高い引火点を有する植物油及びその反応生成物を提供することが望ましい。
【００１２】
発熱量は、物質を完全に燃焼させたときに放出される容量あたり又は質量あたりのエネルギー量の目安である。総発熱量は燃焼中発生した蒸気の凝縮時に放出されるエネルギーをも含むのに対して、真発熱量ではこの要素が補正されている。当然、可能な限り最高の真発熱量を有する油産物が望ましい。
【００１３】
セタン価は、ディーゼル燃料の発火性の目安であり、勿論良好な発火性を有するモーター燃料が特に望ましい。
【００１４】
コークス残留物は、モーター燃料が不完全に燃焼したときに生ずる有機及び無機物質から構成されており、燃料インジェクターでのモーター燃料のコークス化に対する感受性及び燃焼チャンバにおける残留物の形成の目安である。燃料インジェクターがコークス化すると、噴射されたモーター燃料の分布が悪くなり、それによりエンジン性能が低下する。現在、エンジンにおけるコークス化は主に特殊な洗剤及び分散剤を添加することにより抑えられている。勿論、コークス化傾向が少ないモーター燃料が望ましい。
【００１５】
硫黄、窒素、塩素及び上記した（セミ）金属の含量の減少は、主に健康及び環境上危険な物質（例えば、硫酸及び他の硫黄化合物、含窒素ガス）の排出量を減らすために、油脂植物産物、主に植物油及びその反応生成物のこれらと接触する金属部品に対する腐食作用を抑えるために、及び例えば上記した（セミ）金属化合物による灰形成を抑えるために意図されている。
【発明の開示】
【発明が解決しようとする課題】
【００１６】
本発明の目的は、特に燃料部門のみならず食品及び飼料部門での今後の使用を目的として、複雑な製造及び精製ステップに頼ることなく、油科作物産物（例えば、植物油及びその反応生成物）の品質及び適当ならば量を増加させることであった。
【課題を解決するための手段】
【００１７】
驚くことに、油科作物又はその種子を特定の殺菌剤で処理するとより高い品質を有する油科作物産物が得られることが知見された。特に種子油科作物の場合、植物又はその種子を殺菌剤で処理すると種皮のもろさが減ることが知見された。
【００１８】
従って、上記目的は、油科作物産物の品質及び適当ならば量を増加させるためにアリール−及びヘテロシクリルアニリド、カルバメート、ジカルボキシイミド、アゾール、ストロビルリン及びモルホリンから選択される殺菌剤を使用することにより達成された。
【発明を実施するための最良の形態】
【００１９】
本発明の関係で、「品質の増加」は、主に燃焼燃料又はモーター燃料部門において特にエネルギー供給のために使用する観点から油科作物の少なくとも１つの油脂植物産物が改良された特性を有していることを意味する。従って、「品質の増加」は少なくとも１つの油脂植物産物が以下の基準：
(i)少なくとも１つの油脂植物産物のリン含量の減少；
(ii)少なくとも１つの油脂植物産物のアルカリ金属及び／又はアルカリ土類金属含量の減少；
(iii)少なくとも１つの油脂植物産物の耐酸化性の増加；
(iv)少なくとも１つの油脂植物産物の全体的汚染の減少；
(v)少なくとも１つの油脂植物産物のヨウ素価の低下；
(vi)少なくとも１つの油脂植物産物の酸価の低下；
(vii)少なくとも１つの油脂植物産物の動粘度の低下；
(viii)少なくとも１つの油脂植物産物の硫黄含量の減少；
(ix)少なくとも１つの油脂植物産物の引火点の上昇；
(x)少なくとも１つの油脂植物産物の真発熱量の増加；
(xi)少なくとも１つの油脂植物産物のコークス残留物の減少；
(xii)少なくとも１つの油脂植物産物のセタン価の上昇；
(xiii)少なくとも１つの油脂植物産物の窒素含量の減少；
(xiv)少なくとも１つの油脂植物産物の塩素含量の減少；並びに
(xv)少なくとも１つの油脂植物産物の錫、亜鉛、ケイ素及び／又はホウ素含量の減少；
の少なくとも１つを満たさなければならないことを意味する。
【００２０】
少なくとも１つの油脂植物産物の増加した品質及び適当ならば増加した量は、植物又はその種子を特定の殺菌剤で処理することなく、（種及び品種に関して）同一の油科作物から同一の植物生育条件下で（収穫、加工等に関して）同一方法で得た同一の油脂植物産物の品質及び適当ならば量と比較した改善に関する。
【００２１】
本発明の別の主題は、上記した殺菌剤の種子油科作物の種皮のもろさを減らすための使用である。
【００２２】
油科作物は、その植物部分、特にその果実及び／又は種子から油が得られる植物である。油科作物は、
−果実パルプ油科作物（この脂肪果実パルプから油を得ることができる）、この中には例えばオリーブ及びアブラヤシが含まれる；
−種子油科作物（この種子から油を得ることができる）、この中には例えばアブラナ、ターニップレイプ、マスタード、オイルラディッシュ、アマナズナ、キバナスズシロ、ハマナ、ヒマワリ、ベニバナ、アザミ、キンセンカ、大豆、ルピナス、アマ、アサ、オイルパンプキン、ポピー、トウモロコシ及び堅果、特にラッカセイＡｒａｃｈｉｓ種（落花生）；
の２つの主なグループに分類され得る。
【００２３】
しかしながら、果実パルプ油科作物について上記した２つの種（オリーブ及びアブラヤシ）は、いずれの種子（核）も油を得るために使用されるので種子油科作物にも含まれ得る。
【００２４】
本発明の目的で、用語「果実」及び「種子」は用語「果実パルプ油科作物」及び「種子油科作物」の定義の基となっているが、これらの用語は厳密な形態学的意味で使用されていない。すなわち、種子及び果実が発生する花部分に基いた違いはない。むしろ、用語「種子」は、本発明の目的でそのまま、すなわち更に加工することなく種として使用され得る植物の部分を意味すると理解される。対照的に、果実は、花から発生し、成熟するまで種子を囲んでいる器官の全体である。果実は１つ以上の種子を含み、これらの種子は果皮により囲まれている。本発明の目的で、果実は更に、形態学的意味で種子と容易に区別され得る果実パルプを含む。更に、本発明の目的での果実の場合、果皮は分離できる程度に種子又は種皮と融合している。よって、本発明の目的での種子油科作物は、形態学的意味での種子から油が得られる油科作物だけでなく、例えばヒマワリ、堅果又はトウモロコシのように果皮が分離できない程度に種子と融合している種類の果実から油が得られる油科作物も含まれる。従って、本発明の目的で、用語「種皮」は形態学的意味での種子の外皮に限定されず、果皮が分離できない程度に種子と融合していることにより本発明に従って使用される用語「種子」の部類に入る果実の果皮も含む。
【００２５】
本発明の目的で、油科作物産物は油科作物のすべての油含有植物部分、その加工産物及び反応生成物、並びに加工産物の反応生成物を意味すると理解される。油科作物産物は、例えばモーター燃料を含めた燃料形態のエネルギー源として、潤滑剤として適しているだけでなく、食品及び飼料部門又は化粧品部門でも使用される。油科作物産物には主に油科作物の油含有果実及び種子、これらから得た油（食品部門において例えば食用油として又はマーガリンを製造するために、化粧品部門において例えば担体として、潤滑剤として、又はモーター燃料を含めた燃料として使用され得る）；油抽出時の圧搾プロセス中に得られるプレスケーキ（飼料部門において動物飼料として、又は燃料として使用され得る）；及び油の反応生成物、例えばＣ１−Ｃ４−アルコール、好ましくはメタノールとのエステル交換反応生成物（バイオディーゼルとして使用され得る）が含まれる。油とＣ１−Ｃ４−アルコールのエステル交換生成物は、油中に主にグリセリドの形態で（主に、トリグリセリドとして）存在している脂肪酸のＣ１−Ｃ４−アルコールエステルを意味すると理解される。
【００２６】
油科作物産物が植物油及びその反応生成物、例えばＣ１−Ｃ４−アルコール（好ましくは、メタノール）とのエステル交換反応生成物から選択されることが好ましい。
【００２７】
本発明の目的で、別段の記載がない限り、油は植物油を意味すると理解される。
【００２８】
更に、本発明は、生育相（すなわち、出芽から収穫までの期間）中の油科作物又はその植物部分、或いはその種子を少なくとも１つの上記した殺菌剤で処理し、油科作物産物を得る油科作物産物の品質及び適当ならば量を増加させる方法に関する。油脂植物産物の品質及び適当ならば量の増加は上記したように定義される。更に、本発明は、生育相（すなわち、出芽から収穫までの期間）中の種子油科作物又はその植物部分、或いはその種子を少なくとも１つの上記した殺菌剤で処理する種子油科作物の種皮のもろさを減らすための方法にも関する。更に、本発明は、本発明の方法により得ることができる油科作物産物に関する。更に、本発明は、本発明に従って得ることができる油及び／又は少なくとも１つのそのＣ１−Ｃ４−アルキルエステルを含む再生可能燃料に関する。最後に、本発明は、少なくともある程度まで本発明の適当な油科作物産物で作動させるエンジン及び炉設備における燃焼の改善方法に関する。
【００２９】
本発明の目的で、使用されている総称は以下の意味を有している：
ハロゲンは、フッ素、塩素、臭素又はヨウ素、特にフッ素、塩素又は臭素を表す。
【００３０】
用語「部分的又は完全にハロゲン化されている」は、特定基の１個以上（例えば、１、２、３若しくは４個、又は全て）の水素原子がハロゲン原子、特にフッ素又は塩素で置換されていることを意味する。
【００３１】
用語「Ｃｍ−Ｃｎ−アルキル」（Ｃｍ−Ｃｎ−ハロアルキル、Ｃｍ−Ｃｎ−アルキルチオ、Ｃｍ−Ｃｎ−ハロアルキルチオ、Ｃｍ−Ｃｎ−アルキルスルフィニル及びＣｍ−Ｃｎ−アルキルスルホニル中のものも含む）は、ｍ〜ｎ個（例えば、１〜８個）の炭素原子を有する直鎖状又は分岐状飽和炭化水素基である。よって、Ｃ１−Ｃ４−アルキルは、例えばメチル、エチル、プロピル、イソプロピル、ｎ−ブチル、ｓｅｃ−ブチル、イソブチル又はｔｅｒｔ−ブチルである。Ｃ１−Ｃ８−アルキルは更に、例えばペンチル、１−メチルブチル、２−メチルブチル、３−メチルブチル、２，２−ジメチルプロピル、１−エチルプロピル、ヘキシル、１，１−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、ヘプチル、オクチル、２−エチルヘキシル、並びにその構造異性体である。
【００３２】
Ｃｍ−Ｃｎ−ハロアルキルは、ｍ〜ｎ個の炭素原子を有しており、１個以上の水素原子がハロゲン原子、特にフッ素又は塩素で置換されている直鎖状又は分岐状アルキル基である。よって、Ｃ１−Ｃ８−ハロアルキルは、１個以上の水素原子がハロゲン原子、特にフッ素又は塩素で置換されている直鎖状又は分岐状Ｃ１−Ｃ８−アルキル基である。Ｃ１−Ｃ８−ハロアルキルは特にＣ１−Ｃ２−ハロアルキルである。Ｃ１−Ｃ２−ハロアルキルは、例えばクロロメチル、ジクロロメチル、トリクロロメチル、ブロモメチル、フルオロメチル、ジフルオロメチル、トリフルオロメチル、クロロフルオロメチル、ジクロロフルオロメチル、クロロジフルオロメチル、１−クロロエチル、２−クロロエチル、１−フルオロエチル、２−フルオロエチル、２，２−ジフルオロエチル、２，２，２−トリフルオロエチル、ペンタフルオロエチル等である。
【００３３】
Ｃｍ−Ｃｎ−アルコキシは、酸素原子を介して結合しているｍ〜ｎ個の炭素原子を有する直鎖状又は分岐状アルキル基である。従って、Ｃ１−Ｃ４−アルコキシは、酸素原子を介して結合しているＣ１−Ｃ４−アルキル基である。その例はメトキシ、エトキシ、プロポキシ、イソプロポキシ、ブトキシ、ｓｅｃ−ブトキシ、イソブトキシ及びｔｅｒｔ−ブトキシである。Ｃ１−Ｃ８−アルコキシの例は、更にペンチルオキシ、ヘキシルオキシ、オクチルオキシ、並びにその構造異性体である。
【００３４】
Ｃ１−Ｃ８−ハロアルコキシは、酸素原子を介して結合しており、１個以上の水素原子がハロゲン原子、特にフッ素又は塩素で置換されている直鎖状又は分岐状Ｃ１−Ｃ８−アルキル基である。その例はクロロメトキシ、ジクロロメトキシ、トリクロロメトキシ、フルオロメトキシ、ジフルオロメトキシ、トリフルオロメトキシ、ブロモメトキシ、クロロフルオロメトキシ、ジクロロフルオロメトキシ、クロロジフルオロメトキシ、１−クロロエトキシ、１−ブロモエトキシ、１−フルオロエトキシ、２−クロロエトキシ、２−ブロモエトキシ、２−フルオロエトキシ、２，２−ジフルオロエトキシ、２−クロロ−２−フルオロエトキシ、２，２−ジクロロエトキシ、２，２，２−トリクロロエトキシ、２，２，２−トリフルオロエトキシ、ペンタフルオロエトキシ、ペンタクロロエトキシ等である。
【００３５】
Ｃ１−Ｃ８−アルキルチオ、Ｃ１−Ｃ８−アルキルスルフィニル及びＣ１−Ｃ８−アルキルスルホニルは、硫黄原子（アルキルチオ）、Ｓ（Ｏ）基（アルキルスルフィニル）又はＳ（Ｏ）２基（アルキルスルホニル）を介して結合している直鎖状又は分岐状Ｃ１−Ｃ８−アルキル基である。Ｃ１−Ｃ８−アルキルチオの例はメチルチオ、エチルチオ、プロピルチオ、イソプロピルチオ、ｎ−ブチルチオ等を含む。Ｃ１−Ｃ８−アルキルスルフィニルの例はメチルスルフィニル、エチルスルフィニル、プロピルスルフィニル、イソプロピルスルフィニル、ｎ−ブチルスルフィニル等を含む。Ｃ１−Ｃ８−アルキルスルホニルの例はメチルスルホニル、エチルスルホニル、プロピルスルホニル、イソプロピルスルホニル、ｎ−ブチルスルホニル等を含む。
【００３６】
Ｃ１−Ｃ４−アルキルチオは、硫黄原子を介して結合している直鎖状又は分岐状Ｃ１−Ｃ４−アルキル基である。その例はメチルチオ、エチルチオ、プロピルチオ、イソプロピルチオ、ｎ−ブチルチオ、並びにその構造異性体を含む。
【００３７】
Ｃ１−Ｃ８−ハロアルキルチオは、硫黄原子を介して結合しており、１個以上の水素原子がハロゲン原子、特にフッ素又は塩素で置換されている直鎖状又は分岐状Ｃ１−Ｃ８−アルキル基である。その例はクロロメチルチオ、ジクロロメチルチオ、トリクロロメチルチオ、フルオロメチルチオ、ジフルオロメチルチオ、トリフルオロメチルチオ、ブロモメチルチオ、クロロフルオロメチルチオ、ジクロロフルオロメチルチオ、クロロジフルオロメチルチオ、１−クロロエチルチオ、１−ブロモエチルチオ、１−フルオロエチルチオ、２−クロロエチルチオ、２−ブロモエチルチオ、２−フルオロエチルチオ、２，２−ジフルオロエチルチオ、２−クロロ−２−フルオロエチルチオ、２，２−ジクロロエチルチオ、２，２，２−トリクロロエチルチオ、２，２，２−トリフルオロエチルチオ、ペンタフルオロエチルチオ、ペンタクロロエチルチオ等である。
【００３８】
Ｃｍ−Ｃｎ−アルコキシ−Ｃｍ−Ｃｎ−アルキルは、１個の水素原子がＣｍ−Ｃｎ−アルコキシ基で置換されているＣｍ−Ｃｎ−アルキル基である。従って、Ｃ１−Ｃ８−アルコキシ−Ｃ１−Ｃ８−アルキルは、１個の水素原子がＣ１−Ｃ８−アルコキシ基で置換されているＣ１−Ｃ８−アルキル基である。その例はメトキシメチル、エトキシメチル、プロポキシメチル、メトキシエチル、エトキシエチル、プロポキシエチル、メトキシプロピル、エトキシプロピル、プロポキシプロピル等である。
【００３９】
Ｃｍ−Ｃｎ−アルキルチオ−Ｃｍ−Ｃｎ−アルキルは、１個の水素原子がＣｍ−Ｃｎ−アルキルチオ基で置換されているＣｍ−Ｃｎ−アルキル基である。従って、Ｃ１−Ｃ８−アルキルチオ−Ｃ１−Ｃ８−アルキルは、１個の水素原子がＣ１−Ｃ８−アルキルチオ基で置換されているＣ１−Ｃ８−アルキル基である。その例はメチルチオメチル、エチルチオメチル、プロピルチオメチル、メチルチオエチル、エチルチオエチル、プロピルチオエチル、メチルチオプロピル、エチルチオプロピル、プロピルチオプロピル等である。
【００４０】
Ｃｍ−Ｃｎ−ハロアルキルチオ−Ｃｍ−Ｃｎ−アルキルは、１個の水素原子がＣｍ−Ｃｎ−ハロアルキルチオ基で置換されているＣｍ−Ｃｎ−アルキル基である。従って、Ｃ１−Ｃ８−ハロアルキルチオ−Ｃ１−Ｃ８−アルキルは、１個の水素原子がＣ１−Ｃ８−ハロアルキルチオ基で置換されているＣ１−Ｃ８−アルキル基である。その例はクロロメチルチオメチル、ジクロロメチルチオメチル、トリクロロメチルチオメチル、クロロエチルチオメチル、ジクロロエチルチオメチル、トリクロロエチルチオメチル、テトラクロロエチルチオメチル、ペンタクロロエチルチオメチル等である。
【００４１】
カルボキシルは、基−ＣＯＯＨである。
【００４２】
Ｃ１−Ｃ８−アルキルカルボニルは、基−ＣＯ−Ｒ（ここで、ＲはＣ１−Ｃ８−アルキルである）である。
【００４３】
Ｃ１−Ｃ８−アルキルオキシカルボニル（Ｃ１−Ｃ８−アルコキシカルボニルとも称される）は、基−Ｃ（Ｏ）Ｏ−Ｒ（ここで、ＲはＣ１−Ｃ８−アルキルである）である。
【００４４】
Ｃ１−Ｃ８−アルキルカルボニルオキシは、基−ＯＣ（Ｏ）−Ｒ（ここで、ＲはＣ１−Ｃ８−アルキルである）である。
【００４５】
Ｃ１−Ｃ８−アルキルアミノカルボニルは、基−ＣＯ−ＮＨ−Ｒ（ここで、ＲはＣ１−Ｃ８−アルキルである）である。
【００４６】
ジ（Ｃ１−Ｃ８−アルキル）アミノカルボニルは、基−ＣＯ−Ｎ（ＲＲ’）（ここで、Ｒ及びＲ’は相互に独立してＣ１−Ｃ８−アルキルである）である。
【００４７】
Ｃ２−Ｃ８−アルケニルは、２〜８個の炭素原子及び任意の位置に１つの二重結合を有する直鎖状又は分岐状炭化水素基である。その例はエテニル、１−プロペニル、２−プロペニル（アリル）、１−メチルエテニル、１−、２−及び３−ブテニル、１−メチル−１−プロペニル、２−メチル−１−プロペニル、１−、２−、３−及び４−ペンテニル、１−、２−、３−、４−及び５−ヘキセニル、１−、２−、３−、４−、５−及び６−ヘプテニル、１−、２−、３−、４−、５−、６−及び７−オクテニル、並びにその構造異性体である。
【００４８】
Ｃ２−Ｃ８−アルケニルオキシは、酸素原子を介して結合しているＣ２−Ｃ８−アルケニル基である。その例はエテニルオキシ、プロペニルオキシ等である。
【００４９】
Ｃ２−Ｃ８−アルケニルチオは、硫黄原子を介して結合しているＣ２−Ｃ８−アルケニル基である。その例はエテニルチオ、プロペニルチオ等である。
【００５０】
Ｃ２−Ｃ８−アルケニルアミノは、基−ＮＨ−Ｒ（ここで、ＲはＣ２−Ｃ８−アルケニルである）である。
【００５１】
Ｎ−Ｃ２−Ｃ８−アルケニル−Ｎ−Ｃ１−Ｃ８−アルキルアミノは、基−Ｎ（ＲＲ’）（ここで、ＲはＣ２−Ｃ８−アルケニルであり、Ｒ’はＣ１−Ｃ８−アルキルである）である。
【００５２】
Ｃ２−Ｃ８−アルキニルは、２〜８個の炭素原子及び少なくとも１つの三重結合を有する直鎖状又は分岐状炭化水素基である。その例はエチニル、プロピニル、１−及び２−ブチニル等である。
【００５３】
Ｃ２−Ｃ８−アルキニルオキシは、酸素原子を介して結合しているＣ２−Ｃ８−アルキニル基である。その例はプロピニルオキシ、ブチニルオキシ等である。
【００５４】
Ｃ２−Ｃ８−アルキニルチオは、硫黄原子を介して結合しているＣ２−Ｃ８−アルキニル基である。その例はエチニルチオ、プロピニルチオ等である。
【００５５】
Ｃ２−Ｃ８−アルキニルアミノは、基−ＮＨ−Ｒ（ここで、ＲはＣ２−Ｃ８−アルキニルである）である。
【００５６】
Ｎ−Ｃ２−Ｃ８−アルキニル−Ｎ−Ｃ１−Ｃ８−アルキルアミノは、基−Ｎ（ＲＲ’）（ここで、ＲはＣ２−Ｃ８−アルキニルであり、Ｒ’はＣ１−Ｃ８−アルキルである）である。
【００５７】
Ｃ３−Ｃ８−シクロアルキルは、単環式３〜８員飽和シクロ脂肪族基である。その例はシクロプロピル、シクロブチル、シクロペンチル、シクロヘキシル、シクロヘプチル及びシクロオクチルである。
【００５８】
Ｃ３−Ｃ８−シクロアルキルオキシ（又は、Ｃ３−Ｃ８−シクロアルコキシ）は、酸素を介して結合しているＣ３−Ｃ８−シクロアルキル基である。その例はシクロプロピルオキシ、シクロブチルオキシ、シクロペンチルオキシ、シクロヘキシルオキシ、シクロヘプチルオキシ及びシクロオクチルオキシである。
【００５９】
Ｃ３−Ｃ８−シクロアルキルチオは、硫黄原子を介して結合しているＣ３−Ｃ８−シクロアルキル基である。その例はシクロプロピルチオ、シクロブチルチオ、シクロペンチルチオ、シクロヘキシルチオ、シクロヘプチルチオ及びシクロオクチルチオである。
【００６０】
Ｃ３−Ｃ８−シクロアルキルアミノは、基−ＮＨ−Ｒ（ここで、ＲはＣ３−Ｃ８−シクロアルキルである）である。
【００６１】
Ｎ−Ｃ３−Ｃ８−シクロアルキル−Ｎ−Ｃ１−Ｃ８−アルキルアミノは、基−Ｎ（ＲＲ’）（ここで、ＲはＣ３−Ｃ８−シクロアルキルであり、Ｒ’はＣ１−Ｃ８−アルキルである）である。
【００６２】
Ｃ３−Ｃ８−シクロアルケニルは、少なくとも１つの二重結合を有する単環式３〜８員不飽和シクロ脂肪族基である。その例はシクロプロペニル、シクロブテニル、シクロペンテニル、シクロペンタジエニル、シクロヘキシル、シクロヘキサジエニル、シクロヘプテニル、シクロヘプタジエニル、シクロオクチル、シクロオクタジエニル、シクロオクタトリエニル及びシクロオクタテトラエニルである。
【００６３】
Ｃ３−Ｃ８−シクロアルケニルオキシは、酸素を介して結合しているＣ３−Ｃ８−シクロアルケニル基である。その例はシクロプロペニルオキシ、シクロブテニルオキシ、シクロペンテニルオキシ、シクロペンタジエニルオキシ、シクロヘキセニルオキシ、シクロヘキサジエニルオキシ、シクロヘプテニルオキシ、シクロヘプタジエニルオキシ、シクロオクテニルオキシ、シクロオクタジエニルオキシ、シクロオクタトリエニルオキシ及びシクロオクタテトラエニルオキシである。
【００６４】
Ｃｍ−Ｃｎ−アルキレンは、ｍ〜ｎ個（例えば、１〜８個）の炭素原子を有する直鎖状又は分岐状アルキレン基である。よって、Ｃ１−Ｃ３−アルキレンは、例えばメチレン、１，１−又は１，２−エチレン、１，１−、１，２−、２，２−又は１，３−プロピレンである。Ｃ２−Ｃ４−アルキレンは、例えば１，１−又は１，２−エチレン、１，１−、１，２−、２，２−又は１，３−プロピレン、１，１−、１，２−、１，３−又は１，４−ブチレンである。Ｃ３−Ｃ５−アルキレンは、例えば１，１−、１，２−、２，２−又は１，３−プロピレン、１，１−、１，２−、１，３−又は１，４−ブチレン、１，１−ジメチル−１，２−エチレン、２，２−ジメチル−１，２−エチレン、１，１−、１，２−、１，３−、１，４−又は１，５−ペンチレン等である。
【００６５】
オキシ−Ｃｍ−Ｃｎ−アルキレンは、基−Ｏ−Ｒ−（ここで、ＲはＣｍ−Ｃｎ−アルキレンである）である。よって、オキシ−Ｃ２−Ｃ４−アルキレンは基−Ｏ−Ｒ−（ここで、ＲはＣ２−Ｃ４−アルキレンである）である。その例はオキシエチレン、オキシプロピレン等である。
【００６６】
オキシ−Ｃｍ−Ｃｎ−アルキレンオキシは、基−Ｏ−Ｒ−Ｏ−（ここで、ＲはＣｍ−Ｃｎ−アルキレンである）である。よって、オキシ−Ｃ２−Ｃ４−アルキレンオキシは基−Ｏ−Ｒ−Ｏ−（ここで、ＲはＣ１−Ｃ３−アルキレンである）である。その例はオキシメチレンオキシ、オキシ−１，２−エチレンオキシ、オキシ−１，３−プロピレンオキシ等である。
【００６７】
Ｃｍ−Ｃｎ−アルケニレンは、ｍ〜ｎ個（例えば、２〜８個）の炭素原子を有する直鎖状又は分岐状アルケニレン基である。よって、Ｃ２−Ｃ４−アルキレンは、例えば１，１−又は１，２−エテニレン、１，１−、１，２−又は１，３−プロペニレン、１，１−、１，２−、１，３−又は１，４−ブチレンである。Ｃ３−Ｃ５−アルケニレンは、例えば１，１−、１，２−又は１，３−プロペニレン、１，１−、１，２−、１，３−又は１，４−ブテニレン、１，１−、１，２−、１，３−、１，４−又は１，５−ペンテニレン等である。
【００６８】
オキシ−Ｃｍ−Ｃｎ−アルケニレンは、基−Ｏ−Ｒ−（ここで、ＲはＣｍ−Ｃｎ−アルケニレンである）である。よって、オキシ−Ｃ２−Ｃ４−アルケニレンは基−Ｏ−Ｒ−（ここで、ＲはＣ２−Ｃ４−アルケニレンである）である。その例はオキシエテニレン、オキシプロペニレン等である。
【００６９】
オキシ−Ｃｍ−Ｃｎ−アルケニレンオキシは、基−Ｏ−Ｒ−Ｏ−（ここで、ＲはＣｍ−Ｃｎ−アルケニレンである）である。よって、オキシ−Ｃ２−Ｃ４−アルケニレンオキシは、基−Ｏ−Ｒ−Ｏ−（ここで、ＲはＣ２−Ｃ４−アルケニレンである）である。その例はオキシエテニレンオキシ、オキシプロペニレンオキシ等である。
【００７０】
本発明の目的で、Ｃ１−Ｃ４−アルカノール（＝Ｃ１−Ｃ４−アルコール）は、１個の水素原子がヒドロキシ基で置換されている脂肪族Ｃ１−Ｃ４−炭化水素である。その例はメタノール、エタノール、プロパノール、イソプロパノール、ｎ−ブタノール、ｓｅｃ−ブタノール、イソブタノール及びｔｅｒｔ−ブタノールである。
【００７１】
アリールは、６〜１４個の炭素原子を有する場合により置換されている芳香族炭化水素基、例えばフェニル、ナフチル、アントラセニル又はフェナントレニル、特にフェニルである。適当な置換基の例はハロゲン、Ｃ１−Ｃ８−アルキル、Ｃ１−Ｃ８−アルコキシ、ＯＨ、ＮＯ２、ＣＮ、ＣＯＯＨ、Ｃ１−Ｃ８−アルキルカルボニル、Ｃ１−Ｃ８−アルキルカルボニルオキシ、Ｃ１−Ｃ８−アルキルオキシカルボニル、ＮＨ２、Ｃ１−Ｃ８−アルキルアミノ、ジ（Ｃ１−Ｃ８−アルキル）アミノ及び以下に挙げる他の置換基である。
【００７２】
アリールオキシは、酸素原子を介して結合しているアリール基である。その例は、場合により置換されているフェノキシである。
【００７３】
アリールチオは、硫黄原子を介して結合しているアリール基である。その例は、場合により置換されているフェニルチオである。
【００７４】
アリール−Ｃ１−Ｃ８−アルキルは、１個の水素原子がアリール基で置換されているＣ１−Ｃ８−アルキル基である。その例はベンジル及び２−フェニルエチルである。
【００７５】
アリール−Ｃ２−Ｃ８−アルケニルは、１個の水素原子がアリール基で置換されているＣ２−Ｃ８−アルケニル基である。その例は２−フェニルエテニル（スチリル）である。
【００７６】
アリール−Ｃ２−Ｃ８−アルキニルは、１個の水素原子がアリール基で置換されているＣ２−Ｃ８−アルキニル基である。その例は２−フェニルエチニルである。
【００７７】
アリール−Ｃ１−Ｃ８−アルコキシは、１個の水素原子がアリール基で置換されているＣ１−Ｃ８−アルコキシ基である。
【００７８】
アリールチオ−Ｃ１−Ｃ４−アルキルは、１個の水素原子がアリール基で置換されているＣ１−Ｃ４−アルキル基、例えば、場合により置換されているフェニルチオ−Ｃ１−Ｃ４−アルキルである。場合により置換されているフェニルチオ−Ｃ１−Ｃ４−アルキルの例はフェニルチオメチル（Ｃ６Ｈ５−Ｓ−ＣＨ２）及びフェニルチオエチル（Ｃ６Ｈ５−Ｓ−ＣＨ２ＣＨ２）であり、前記フェニル基が例えば１個以上の塩素原子で置換されていてもよい。
【００７９】
ヘテロシクリルは、好ましくは３〜７環員、及び環員として１、２、３又は４個のＯ、Ｎ及びＳから選択されるヘテロ原子及び／又はＳＯ、ＳＯ２及びＮＲ（ここで、ＲはＨ又はＣ１−Ｃ８−アルキルである）から選択されるヘテロ原子基、更に適当ならば環員として１、２又は３個のカルボニル基を有する非芳香族の飽和又は不飽和、又は芳香族（“ヘタリール”）ヘテロシクリル基である。非芳香族ヘテロシクリル基の例は、アジリジニル、アゼチジニル、ピロリジニル、ピロリジノニル、ピロリジンジオニル、ピラゾリニル、ピラゾリノニル、イミダゾリニル、イミダゾリノニル、イミダゾリンジオニル、ピロリニル、ピロリノニル、ピロリンジオニル、ピラゾリニル、イミダゾリニル、イミダゾリノニル、テトラヒドロフラニル、ジヒドロフラニル、１，３−ジオキソラニル、ジオキソレニル、チオラニル、ジヒドロチエニル、オキサゾリジニル、イソオキサゾリジニル、オキサゾリニル、イソオキサゾリニル、チアゾリニル、イソチアゾリニル、チアゾリジニル、イソチアゾリジニル、オキサチオラニル、ピペリジニル、ピペリジノニル、ピペリジンジオニル、ピペラジニル、ピリジノニル、ピリジンジオニル、ピリダジノニル、ピリダジンジオニル、ピリミジノニル、ピリダジンジオニル、ピラニル、ジヒドロピラニル、テトラヒドロピラニル、ジオキサニル、チオピラニル、ジヒドロチオピラニル、テトラヒドロチオピラニル、モルホリニル、チアジニル等を含む。芳香族ヘテロシクリル基（ヘタリール）の例はピロリル、フリル、チエニル、ピラゾリル、イミダゾリル、トリアゾリル、テトラゾリル、オキサゾリル、イソオキサゾリル、チアゾリル、イソチアゾリル、チアジアゾリル、オキサジアゾリル、ピリジル、ピリダジニル、ピリミジニル、ピラジニル及びトリアジニルを含む。
【００８０】
ヘテロシクリルオキシ又はヘタリールオキシは、酸素原子を介して結合しているヘテロシクリル又はヘタリール基である。
【００８１】
ヘタリール−Ｃ１−Ｃ８−アルキルは、１個の水素原子がヘタリール基で置換されているＣ１−Ｃ８−アルキル基である。その例はピロリルメチル、ピリジニルメチル等である。
【００８２】
ヘタリール−Ｃ２−Ｃ８−アルケニルは、１個の水素原子がヘタリール基で置換されているＣ２−Ｃ８−アルケニル基である。
【００８３】
ヘタリール−Ｃ２−Ｃ８−アルキニルは、１個の水素原子がヘタリール基で置換されているＣ２−Ｃ８−アルキニル基である。
【００８４】
ヘタリール−Ｃ１−Ｃ８−アルコキシは、１個の水素原子がヘタリール基で置換されているＣ１−Ｃ８−アルコキシ基である。
【００８５】
本発明の好ましい要件に関する以下の観察はそれ自体のみならず、他の好ましい要件との組合せに当てはまる。
【００８６】
「品質の増加」は、好ましくは少なくとも１つの油脂植物産物が基準(i)〜(xi)、より好ましくは(i)〜(viii)、更に好ましくは(i)〜(vii)、特に(i)〜(iii)及び(vi)の少なくとも１つ、具体的には(i)又は(ii)を満たさなければならないことを意味する。
【００８７】
適当な油科作物の例は、アブラナ、ターニップレイプ、マスタード、オイルラディッシュ、アマナズナ、キバナスズシロ、ハマナ、ヒマワリ、ベニバナ、アザミ、キンセンカ、大豆、ルピナス、アマ、アサ、オイルパンプキン、ポピー、トウモロコシ、アブラヤシ及び落花生である。
【００８８】
油科作物を種子油科作物から選択することが好ましい。
【００８９】
種子油科作物をアブラナ、ターニップレイプ、マスタード、オイルラディッシュ、アマナズナ、キバナスズシロ、ハマナ、ヒマワリ、ベニバナ、アザミ、キンセンカ、大豆、ルピナス、アマ、アサ、オイルパンプキン及びポピーから選択することが好ましい。
【００９０】
油科作物／種子油科作物をアブラナ及びターニップレイプ、特にアブラナから選択することが特に好ましい。
【００９１】
特に食品及び飼料分野での用途に対して、０アブラナ及び特に００アブラナが好ましい。他のタイプのアブラナ、例えばエルカ酸及びグルコシノレートを含む変種も他の用途に対して適している。
【００９２】
本発明に従って使用される殺菌剤は、アリール−及びヘテロシクリルアニリド（以下、アニリド殺菌剤と称する）、カルバメート、ジカルボキシイミド、アゾール、ストロビルリン及びモルホリンから選択される。本発明の１つの実施形態では、使用される殺菌剤はアリール−及びヘテロシクリルアニリド、カルバメート、ジカルボキシイミド、アゾール及びストロビルリンから選択される。
【００９３】
アリール−及びヘテロシクリルアニリド（アニリド殺菌剤）は、アミン部分が場合により置換されているアニリンから誘導され、カルボニル基が場合により置換されているアリール又はヘテロシクリル基に結合しているカルボキシイミド基を含む殺菌剤を意味すると理解される。
【００９４】
アニリド殺菌剤及びその製造方法は、原則として当業者に公知であり、例えば参照により全文を本明細書に組み入れるＦａｒｍ  Ｃｈｅｍｉｃａｌｓ  Ｈａｎｄｂｏｏｋ，Ｍｅｉｓｔｅｒ  Ｐｕｂｌｉｓｈｉｎｇ  Ｃｏｍｐａｎｙ又はｔｈｅ  Ｃｏｍｐｅｎｄｉｕｍ  ｏｆ  Ｐｅｓｔｉｃｉｄｅ  Ｃｏｍｍｏｎ  Ｎａｍｅｓ，ｈｔｔｐ：／／ｗｗｗ．ｈｃｌｒｓｓ．ｄｅｍｏｎ．ｃｏ．ｕｋ／に記載されている。
【００９５】
好ましいアニリド殺菌剤は、式Ｉ：
Ａ−ＣＯ−ＮＨＲ１
［式中、
Ａはアリール基、又は環員としてＯ、Ｓ、Ｎ及びＮＲ２（ここで、Ｒ２は水素又はＣ１−Ｃ８−アルキルである）から選択される１〜３個のヘテロ原子又はヘテロ原子含有基を含む芳香族又は非芳香族の５員又は６員ヘテロ環であり、前記したアリール基又はヘテロ環は場合によりハロゲン、Ｃ１−Ｃ８−アルキル、Ｃ１−Ｃ８−ハロアルキル、Ｃ１−Ｃ８−アルコキシ、Ｃ１−Ｃ８−ハロアルコキシ、Ｃ１−Ｃ８−アルキルチオ、Ｃ１−Ｃ８−アルキルスルフィニル及びＣ１−Ｃ８−アルキルスルホニルから相互に独立して選択される１、２又は３個の置換基を有しており；
Ｒ１は場合によりＣ１−Ｃ８−アルキル、Ｃ２−Ｃ８−アルケニル、Ｃ２−Ｃ８−アルキニル、Ｃ１−Ｃ８−アルコキシ、Ｃ２−Ｃ８−アルケニルオキシ、Ｃ２−Ｃ８−アルキニルオキシ、Ｃ３−Ｃ８−シクロアルキル、Ｃ３−Ｃ８−シクロアルケニル、Ｃ３−Ｃ８−シクロアルキルオキシ、Ｃ３−Ｃ８−シクロアルケニルオキシ、フェニル及びハロゲンから相互に独立して選択される１、２又は３個の置換基を有するフェニル基であり、前記した脂肪族及びシクロ脂肪族基は部分的又は完全にハロゲン化されていてもよく及び／又は前記シクロ脂肪族基は１、２又は３個のＣ１−Ｃ８−アルキル基で置換されていてもよく、前記フェニルは１〜５個のハロゲン原子及び／又は１、２又は３個のＣ１−Ｃ８−アルキル、Ｃ１−Ｃ８−ハロアルキル、Ｃ１−Ｃ８−アルコキシ、Ｃ１−Ｃ８−ハロアルコキシ、Ｃ１−Ｃ８−アルキルチオ及びＣ１−Ｃ８−ハロアルキルチオから相互に独立して選択される置換基で置換されていてもよく、アミドフェニル基Ｒ１は、場合により１、２又は３個のＣ１−Ｃ８−アルキル基で置換されており及び／又は場合により環員としてＯ及びＳから選択されるヘテロ原子を含有している飽和５員環に場合により縮合している］
を有するものである。
【００９６】
式Ｉを有するアニリド及びその製造方法は、それ自体公知であり、例えば参照により全文を本明細書に組み入れるＥＰ−Ａ−５４５０９９、ＥＰ−Ａ−５８９３０１及びＷＯ  ９７／０８９５２、並びにここに引用されている文献に記載されている。
【００９７】
式Ｉを有するアニリドは、特に好ましくは式Ｉ．１：
【化１】
2009525373.tif 000002
［式中、Ａは式Ａ１〜Ａ８：
【化２】
2009525373.tif 000003
（ここで、
ＸはＣＨ２、Ｓ、ＳＯ又はＳＯ２であり；
Ｒ３はＣＨ３、ＣＨＦ２、ＣＦ３、Ｃｌ、Ｂｒ又はＩであり；
Ｒ４はＣＦ３又はＣｌであり；
Ｒ５は水素又はＣＨ３であり；
Ｒ６はＣＨ３、ＣＨＦ２、ＣＦ３又はＣｌであり；
Ｒ７は水素、ＣＨ３又はＣｌであり；
Ｒ８はＣＨ３、ＣＨＦ２又はＣＦ３であり；
Ｒ９は水素、ＣＨ３、ＣＨＦ２、ＣＦ３又はＣｌである）
を有する基であり、
Ｒ１０はＣ１−Ｃ４−アルキル、Ｃ１−Ｃ４−アルコキシ、Ｃ１−Ｃ４−アルキルチオ又はハロゲンである］
を有するアニリドから選択される。
【００９８】
基Ａが基Ａ２（ここで、Ｒ４はハロゲンである）であり、Ｒ１０はハロゲンであることが好ましい。
【００９９】
特に、式Ｉを有するアニリド殺菌剤は式Ｉ．１．１及びＩ．１．２：
【化３】
2009525373.tif 000004
を有するアニリドから選択される。
【０１００】
これらの中で、アニリドＩ．１．１が特に好ましい。この化合物はボスカリドの一般名で公知であり、市販されている。
【０１０１】
カルバメート殺菌剤は、カルバメート基（ＮＲＲ’−ＣＯ−ＯＲ”）を含む殺菌上活性な化合物である。
【０１０２】
カルバメート殺菌剤及びその製造方法は、原則として当業者に公知であり、例えば参照により全文を本明細書に組み入れるＦａｒｍ  Ｃｈｅｍｉｃａｌｓ  Ｈａｎｄｂｏｏｋ，Ｍｅｉｓｔｅｒ  Ｐｕｂｌｉｓｈｉｎｇ  Ｃｏｍｐａｎｙ又はｔｈｅ  Ｃｏｍｐｅｎｄｉｕｍ  ｏｆ  Ｐｅｓｔｉｃｉｄｅ  Ｃｏｍｍｏｎ  Ｎａｍｅｓ，ｈｔｔｐ：／／ｗｗｗ．ｈｃｌｒｓｓ．ｄｅｍｏｎ．ｃｏ．ｕｋ／に記載されている。
【０１０３】
好ましいカルバメート殺菌剤は、ベンチアバリカルブ、フロファネート、イプロバリカルブ、プロパモカルブ、チオファネート、チオファネート−メチル、チオファネート−エチル、ベノミル、カルベンダジム、シペンダゾール、デバカルブ及びメカルビンジドの一般名で公知のものである。これらの中で、カルベンダジム、チオファネート、チオファネート−メチル及びチオファネート−エチルが特に好ましい。特に、チオファネート−メチルが使用される。
【０１０４】
ジカルボキシイミド殺菌剤は、ジカルボン酸のイミド基を含む殺菌上活性な化合物である。従って、これらの化合物は−ＣＯ−ＮＲ−ＣＯ−基を有する環状構造からなる。
【０１０５】
ジカルボキシイミド殺菌剤及びその製造方法は、原則として当業者に公知であり、例えば参照により全文を本明細書に組み入れるＦａｒｍ  Ｃｈｅｍｉｃａｌｓ  Ｈａｎｄｂｏｏｋ，Ｍｅｉｓｔｅｒ  Ｐｕｂｌｉｓｈｉｎｇ  Ｃｏｍｐａｎｙ又はｔｈｅ  Ｃｏｍｐｅｎｄｉｕｍ  ｏｆ  Ｐｅｓｔｉｃｉｄｅ  Ｃｏｍｍｏｎ  Ｎａｍｅｓ，ｈｔｔｐ：／／ｗｗｗ．ｈｃｌｒｓｓ．ｄｅｍｏｎ．ｃｏ．ｕｋ／に記載されている。
【０１０６】
好ましいジカルボキシイミドは式ＩＩ：
【化４】
2009525373.tif 000005
［式中、
Ａは−ＣＲ１２Ｒ１３−ＣＲ１４Ｒ１５−、−ＣＲ１２Ｒ１３−Ｏ−、−ＣＲ１２Ｒ１３−ＮＲ１６−又は−ＣＲ１２＝ＣＲ１４−であり；
Ｒ１１はＣ１−Ｃ８−アルキルチオ、Ｃ１−Ｃ８−ハロアルキルチオ、Ｃ１−Ｃ８−アルキルチオ−Ｃ１−Ｃ４−アルキル、Ｃ１−Ｃ８−ハロアルキルチオ−Ｃ１−Ｃ４−アルキル、フェニルチオ、フェニルチオ−Ｃ１−Ｃ４−アルキル、フェニル、フェニルアミノであり、最後に挙げた４つの基中のフェニルが部分的又は完全にハロゲン化されていてもよく及び／又は前記フェニル部分にハロゲン、Ｃ１−Ｃ８−アルキル、Ｃ１−Ｃ８−アルコキシ、フェニル及びフェノキシから選択される１〜３個の置換基が結合していてもよく、或いはＲ１１はジ（Ｃ１−Ｃ８−アルキル）ホスホネート又はジ（Ｃ１−Ｃ８−アルキル）チオホスホネートであり；
Ｒ１２、Ｒ１３、Ｒ１４及びＲ１５は相互に独立して水素、ハロゲン、Ｃ１−Ｃ８−アルキル、Ｃ１−Ｃ８−ハロアルキル、Ｃ１−Ｃ８−アルコキシ、Ｃ１−Ｃ８−アルキルチオ、Ｃ１−Ｃ８−ハロアルコキシ、Ｃ１−Ｃ８−ハロアルキルチオ、Ｃ１−Ｃ８−アルコキシ−Ｃ１−Ｃ８−アルキル、Ｃ２−Ｃ８−アルケニル、Ｃ２−Ｃ８−アルキニル、カルボキシル（＝ＣＯＯＨ）、Ｃ１−Ｃ８−アルキルオキシカルボニル、Ｃ１−Ｃ８−アルキルカルボニル、Ｃ１−Ｃ８−アルキルカルボニルオキシ、フェニルであり、前記フェニルは部分的又は完全にハロゲン化されていてもよく及び／又は前記フェニルにハロゲン、Ｃ１−Ｃ８−アルキル、Ｃ１−Ｃ８−アルコキシ、フェニル、フェノキシ、ベンジル及びベンジルオキシから選択される１〜３個の置換基が結合していてもよく；
Ｒ１２及びＲ１４はこれらが結合している炭素原子と一緒になって、未置換であるか又はハロゲン、Ｃ１−Ｃ８−アルキル、Ｃ１−Ｃ８−アルコキシ、フェニル、フェノキシ、ベンジル又はベンゾキシから選択される１〜３個の置換基で置換され得る３〜６員の飽和又は不飽和芳香族又は非芳香族環を形成してもよく；
Ｒ１６は水素、Ｃ１−Ｃ４−アルキル、Ｃ１−Ｃ８−アルキルカルボニル、Ｃ１−Ｃ８−アルキルオキシカルボニル、Ｃ１−Ｃ８−アルキルアミノカルボニル又はジ（Ｃ１−Ｃ８−アルキル）アミノカルボニルである］
を有するものである。
【０１０７】
好ましいジカルボキシイミド殺菌剤は、ファモキサドン、フルオルイミド、クロゾリネート、ジクロゾリン、イプロジオン、イソバレジオン、ミクロゾリン、プロシミドン、ビンクロゾリン、カプタホール、キャプタン、ジタリムホス、ホルペット及びチオクロルフェンフィムの一般名で公知のものである。イプロジオン、ビンクロゾリン及びプロシミドンが特に好ましい。特に、イプロジオンが使用される。
【０１０８】
コナゾール殺菌剤とも称されているアゾール殺菌剤は、芳香族５員窒素ヘテロ環、特にイミダゾール環（「イミダゾールコナゾール」）又はトリアゾール環（「トリアゾールコナゾール」）を含む殺菌上活性な化合物である。
【０１０９】
アゾール殺菌剤及びその製造方法は、原則として当業者に公知であり、例えば参照により全文を本明細書に組み入れるＦａｒｍ  Ｃｈｅｍｉｃａｌｓ  Ｈａｎｄｂｏｏｋ，Ｍｅｉｓｔｅｒ  Ｐｕｂｌｉｓｈｉｎｇ  Ｃｏｍｐａｎｙ又はｔｈｅ  Ｃｏｍｐｅｎｄｉｕｍ  ｏｆ  Ｐｅｓｔｉｃｉｄｅ  Ｃｏｍｍｏｎ  Ｎａｍｅｓ，ｈｔｔｐ：／／ｗｗｗ．ｈｃｌｒｓｓ．ｄｅｍｏｎ．ｃｏ．ｕｋ／に記載されている。
【０１１０】
好ましいアゾール殺菌剤は、ビテルタノール、ブロモコナゾール、シプロコナゾール、ジフェノコナゾール、ジニトロコナゾール、エポキシコナゾール、フェンブコナゾール、フルキコナゾール、フルシラゾール、ヘキサコナゾール、イマザリル、メトコナゾール、ミクロブタニル、ペンコナゾール、プロピコナゾール、プロクロラズ、プロチオコナゾール、テブコナゾール、トリアジメホン、トリアジメノール、トリフルミゾール及びトリチコナゾールの一般名で公知のものである。フルシラゾール、メトコナゾール、プロチオコナゾール及びテブコナゾールが特に好ましい。フルシラゾール、メトコナゾール、プロチオコナゾール及びテブコナゾールがより好ましい。メトコナゾール、プロチオコナゾール及びテブコナゾールが更に好ましい。特に、メトコナゾールが使用される。
【０１１１】
ストロビルリン殺菌剤は、天然ストロビルリンに由来し、Ｓｔｒｏｂｉｌｕｒｕｓ属の菌類により産生される物質を防御する殺菌上活性な化合物である。その構造の点で、ストロビルリン殺菌剤は１）エノールエーテル、オキシムエーテル及びＯ−アルキルヒドロキシルアミンから選択される少なくとも１個の官能基（グループＩ）及び２）少なくとも１個のカルボキシル誘導体（グループＩＩ）を含む。好ましいカルボキシル誘導体はエステル、環状エステル、アミド、環状アミド、ヒドロキサム酸及び環状ヒドロキサム酸の官能基である。グループＩの基及びグループＩＩの基が相互に直接隣接していること、すなわち単結合を介して連結していることが好ましい。
【０１１２】
ストロビルリン殺菌剤は、原則として当業者に公知であり、例えば参照により全文を本明細書に組み入れるＦａｒｍ  Ｃｈｅｍｉｃａｌｓ  Ｈａｎｄｂｏｏｋ，Ｍｅｉｓｔｅｒ  Ｐｕｂｌｉｓｈｉｎｇ  Ｃｏｍｐａｎｙ又はｔｈｅ  Ｃｏｍｐｅｎｄｉｕｍ  ｏｆ  Ｐｅｓｔｉｃｉｄｅ  Ｃｏｍｍｏｎ  Ｎａｍｅｓ，ｈｔｔｐ：／／ｗｗｗ．ｈｃｌｒｓｓ．ｄｅｍｏｎ．ｃｏ．ｕｋ／に記載されている。
【０１１３】
好ましいストロビルリンは、式ＩＩＩＡ又はＩＩＩＢ：
【化５】
2009525373.tif 000006
［式中、
【化６】
2009525373.tif 000007
は二重結合又は単結合であり；
Ｒａは−Ｃ［ＣＯ２ＣＨ３］＝ＣＨＯＣＨ３、−Ｃ［ＣＯ２ＣＨ３］＝ＮＯＣＨ３、−Ｃ［ＣＯＮＨＣＨ３］＝ＮＯＣＨ３、−Ｃ［ＣＯ２ＣＨ３］＝ＣＨＣＨ３、−Ｃ［ＣＯ２ＣＨ３］＝ＣＨＣＨ２ＣＨ３、−Ｃ［ＣＯ２ＣＨ３］＝ＮＯＣＨ３、−Ｃ［ＣＯＣＨ２ＣＨ３］＝ＮＯＣＨ３、−Ｎ（ＯＣＨ３）−ＣＯ２ＣＨ３、−Ｎ（ＣＨ３）−ＣＯ２ＣＨ３又は−Ｎ（ＣＨ２ＣＨ３）−ＣＯ２ＣＨ３であり；
Ｒｂは直接、又は酸素原子、硫黄原子、アミノ基又はＣ１−Ｃ８−アルキルアミノ基を介して結合している有機基であり、或いは
Ｒｂは基Ｘ及びこれらが結合している環Ｑ又はＴと一緒になって、場合により置換されており、炭素環員に加えて酸素、硫黄及び窒素から独立して選択される１、２又は３個のヘテロ原子を含み得る二環式の部分的又は完全に不飽和の系であり；
Ｒｃは−ＯＣ［ＣＯ２ＣＨ３］＝ＣＨＯＣＨ３、−ＯＣ［ＣＯ２ＣＨ３］＝ＣＨＣＨ３、−ＯＣ［ＣＯ２ＣＨ３］＝ＣＨＣＨ２ＣＨ３、−ＳＣ［ＣＯ２ＣＨ３］＝ＣＨＯＣＨ３、−ＳＣ［ＣＯ２ＣＨ３］＝ＣＨＣＨ３、−ＳＣ［ＣＯ２ＣＨ３］＝ＣＨＣＨ２ＣＨ３、−Ｎ（ＣＨ３）Ｃ［ＣＯ２ＣＨ３］＝ＣＨＯＣＨ３、−Ｎ（ＣＨ３）Ｃ［ＣＯ２ＣＨ３］＝ＮＯＣＨ３、−ＣＨ２Ｃ［ＣＯ２ＣＨ３］＝ＣＨＯＣＨ３、−ＣＨ２Ｃ［ＣＯ２ＣＨ３］＝ＮＯＣＨ３又は−ＣＨ２Ｃ［ＣＯＮＨＣＨ３］＝ＮＯＣＨ３であり；
Ｒｄは酸素、硫黄、＝ＣＨ−又は＝Ｎであり−；
ｎは０、１、２又は３であり、ｎ＞１ならば基Ｘは同一でも異なっていてもよく；
Ｘはシアノ、ニトロ、ハロゲン、Ｃ１−Ｃ８−アルキル、Ｃ１−Ｃ８−ハロアルキル、Ｃ１−Ｃ８−アルコキシ、Ｃ１−Ｃ８−ハロアルコキシ又はＣ１−Ｃ８−アルキルチオであり、或いは
ｎ＞１ならば、Ｘはフェニル環の２個の隣接するＣ原子に結合しているＣ３−Ｃ５−アルキレン、Ｃ３−Ｃ５−アルケニレン、オキシ−Ｃ２−Ｃ４−アルキレン、オキシ−Ｃ１−Ｃ３−アルキレンオキシ、オキシ−Ｃ２−Ｃ４−アルケニレン、オキシ−Ｃ２−Ｃ４−アルケニレンオキシ又はブタジエンジイル基であり、これらの鎖にハロゲン、Ｃ１−Ｃ８−アルキル、Ｃ１−Ｃ８−ハロアルキル、Ｃ１−Ｃ８−アルコキシ、Ｃ１−Ｃ８−ハロアルコキシ及びＣ１−Ｃ８−アルキルチオから相互に独立して選択される１〜３個の基が結合していてもよく；
Ｙは＝Ｃ−又は−Ｎ−であり；
Ｑはフェニル、ピロリル、チエニル、フリル、ピラゾリル、イミダゾリル、オキサゾリル、イソオキサゾリル、チアゾリル、チアジアゾリル、トリアゾリル、ピリジニル、２−ピリドニル、ピリミジニル又はトリアジニルであり；
Ｔはフェニル、オキサゾリル、チアゾリル、チアジアゾリル、オキサジアゾリル、ピリジニル、ピリミジニル又はトリアジニルである］
を有するものである。
【０１１４】
特に、置換基ＲｂはＣ１−Ｃ８−アルキル、Ｃ２−Ｃ８−アルケニル、Ｃ２−Ｃ８−アルキニル、アリール、ヘタリール、アリール−Ｃ１−Ｃ８−アルキル、ヘタリール−Ｃ１−Ｃ８−アルキル、アリール−Ｃ２−Ｃ８−アルケニル、ヘタリール−Ｃ２−Ｃ８−アルケニル、アリール−Ｃ２−Ｃ８−アルキニル又はヘタリール−Ｃ２−Ｃ８−アルキニル基の形をとり、これらの基は場合によりＯ、Ｓ、ＳＯ、ＳＯ２、ＮＲ（Ｒ＝Ｈ又はＣ１−Ｃ８−アルキル）、ＣＯ、ＣＯＯ、ＯＣＯ、ＣＯＮＨ、ＮＨＣＯ及びＮＨＣＯＮＨ、又は式：ＣＨ２ＯＮ＝ＣＲαＣＲβ又はＣＨ２ＯＮ＝ＣＲγＣＲδ＝ＮＯＲεを有する基から選択される１個以上の基で中断されていてもよい。これらの基は、場合によりＣ１−Ｃ８−アルキル、Ｃ１−Ｃ８−アルコキシ、ハロゲン、シアノ、Ｃ１−Ｃ８−ハロアルキル（特に、ＣＦ３及びＣＨＦ２）、ヘタリール及びアリールから相互に独立して選択される１個以上の（好ましくは、１、２又は３個の）置換基を有している。前記したヘタリール及びアリールは、ハロゲン、Ｃ１−Ｃ８−ハロアルキル（特に、ＣＦ３及びＣＨＦ２）、フェニル、ＣＮ、フェノキシ、Ｃ１−Ｃ８−アルキル、Ｃ１−Ｃ８−アルコキシ及びＣ１−Ｃ８−ハロアルコキシから相互に独立して選択される１、２又は３個の置換基を有し得る。
【０１１５】
上記化合物は公知であり、例えば参照により全文を本明細書に組み入れるＷＯ  ９７／１０７１６及びここに引用されている文献中に記載されている。
【０１１６】
好ましいストロビルリンは、式ＩＩＩＡ又はＩＩＩＢ
［式中、
Ｒｂはアリールオキシ、ヘタリールオキシ、アリールオキシメチレン、ヘタリールオキシメチレン、アリールエテニレン又はヘタリールエテニレンであり、これらの基は場合によりＣ１−Ｃ８−アルキル、ハロゲン、ＣＦ３、ＣＨＦ２、ＣＮ、Ｃ１−Ｃ８−アルコキシ及びフェニルから相互に独立して選択される１、２又は３個の置換基を有しており、前記フェニルはハロゲン、ＣＦ３、ＣＨＦ２、フェニル、ＣＮ、フェノキシ、Ｃ１−Ｃ８−アルキル、Ｃ１−Ｃ８−アルコキシ及びＣ１−Ｃ８−ハロアルコキシから相互に独立して選択される１、２又は３個の置換基を有し得；或いは
ＲｂはＣＨ２ＯＮ＝ＣＲαＲβ又はＣＨ２ＯＮ＝ＣＲγＣＲδ＝ＮＯＲε
（ここで、
ＲαはＣ１−Ｃ８−アルキルであり；
Ｒβは場合によりＣ１−Ｃ８−アルキル、Ｃ１−Ｃ８−アルコキシ、ハロゲン、Ｃ１−Ｃ８−ハロアルコキシ、ＣＦ３及びＣＨＦ２から相互に独立して選択される１、２又は３個の置換基を有するフェニル、ピリジル又はピリミジルであり；
ＲγはＣ１−Ｃ８−アルキル、Ｃ１−Ｃ８−アルコキシ、ハロゲン、Ｃ１−Ｃ８−ハロアルキル又は水素であり；
Ｒδは水素、シアノ、ハロゲン、Ｃ１−Ｃ８−アルキル、Ｃ１−Ｃ８−アルコキシ、Ｃ１−Ｃ８−アルキルチオ、Ｃ１−Ｃ８−アルキルアミノ、ジ−Ｃ１−Ｃ８−アルキルアミノ、Ｃ２−Ｃ８−アルケニル、Ｃ２−Ｃ８−アルケニルオキシ、Ｃ２−Ｃ８−アルケニルチオ、Ｃ２−Ｃ８−アルケニルアミノ、Ｎ−Ｃ２−Ｃ８−アルケニル−Ｎ−Ｃ１−Ｃ８−アルキルアミノ、Ｃ２−Ｃ８−アルキニル、Ｃ２−Ｃ８−アルキニルオキシ、Ｃ２−Ｃ８−アルキニルチオ、Ｃ２−Ｃ８−アルキニルアミノ、Ｎ−Ｃ２−Ｃ８−アルキニル−Ｎ−Ｃ１−Ｃ８−アルキルアミノであり、これらの基の炭化水素基は部分的又は完全にハロゲン化されていてもよく及び／又は前記炭化水素基にシアノ、ニトロ、ヒドロキシ、Ｃ１−Ｃ８−アルコキシ、Ｃ１−Ｃ８−ハロアルコキシ、Ｃ１−Ｃ８−アルコキシカルボニル、Ｃ１−Ｃ８−アルキルチオ、Ｃ１−Ｃ８−アルキルアミノ、ジ−Ｃ１−Ｃ８−アルキルアミノ、Ｃ２−Ｃ８−アルケニルオキシ、Ｃ３−Ｃ８−シクロアルキル、Ｃ３−Ｃ８−シクロアルキルオキシ、ヘテロシクリル、ヘテロシクリルオキシ、アリール、アリールオキシ、アリール−Ｃ１−Ｃ８−アルコキシ、ヘタリール、ヘタリールオキシ及びヘタリール−Ｃ１−Ｃ８−アルコキシから相互に独立して選択される１、２又は３個の基が結合していてもよく、前記環状基は部分的又は完全にハロゲン化されていてもよく及び／又は前記環状基にシアノ、ニトロ、ヒドロキシ、Ｃ１−Ｃ８−アルキル、Ｃ１−Ｃ８−ハロアルキル、Ｃ３−Ｃ８−シクロアルキル、Ｃ１−Ｃ８−アルコキシ、Ｃ１−Ｃ８−ハロアルコキシ、Ｃ１−Ｃ８−アルコキシカルボニル、Ｃ１−Ｃ８−アルキルチオ、Ｃ１−Ｃ８−アルキルアミノ、ジ−Ｃ１−Ｃ８−アルキルアミノ、Ｃ２−Ｃ８−アルケニル及びＣ２−Ｃ８−アルケニルオキシから相互に独立して選択される１、２又は３個の基が結合していてもよく、又は
ＲδはＣ３−Ｃ８−シクロアルキル、Ｃ３−Ｃ８−シクロアルキルオキシ、Ｃ３−Ｃ８−シクロアルキルチオ、Ｃ３−Ｃ８−シクロアルキルアミノ、Ｎ−Ｃ３−Ｃ８−シクロアルキル−Ｎ−Ｃ１−Ｃ８−アルキルアミノ、ヘテロシクリル、ヘテロシクリルオキシ、ヘテロシクリルチオ、ヘテロシクリルアミノ、Ｎ−ヘテロシクリル−Ｎ−Ｃ１−Ｃ８−アルキルアミノ、アリール、アリールオキシ、アリールチオ、アリールアミノ、Ｎ−アリール−Ｎ−Ｃ１−Ｃ８−アルキルアミノ、ヘタリール、ヘタリールオキシ、ヘタリールチオ、ヘタリールアミノ又はＮ−ヘタリール−Ｎ−Ｃ１−Ｃ８−アルキルアミノであり、前記環状基は部分的又は完全にハロゲン化されていてもよく及び／又は前記環状基にシアノ、ニトロ、ヒドロキシ、Ｃ１−Ｃ８−アルキル、Ｃ１−Ｃ８−ハロアルキル、Ｃ３−Ｃ８−シクロアルキル、Ｃ１−Ｃ８−アルコキシ、Ｃ１−Ｃ８−ハロアルコキシ、Ｃ１−Ｃ８−アルコキシカルボニル、Ｃ１−Ｃ８−アルキルチオ、Ｃ１−Ｃ８−アルキルアミノ、ジ−Ｃ１−Ｃ８−アルキルアミノ、Ｃ２−Ｃ８−アルケニル、Ｃ２−Ｃ８−アルケニルオキシ、ベンジル、ベンジルオキシ、アリール、アリールオキシ、ヘタリール及びヘタリールオキシから相互に独立して選択される１、２又は３個の基が結合していてもよく、前記芳香族基は部分的又は完全にハロゲン化されていてもよく及び／又は前記芳香族基に１、２又は３個のシアノ、Ｃ１−Ｃ８−アルキル、Ｃ１−Ｃ８−ハロアルキル、Ｃ１−Ｃ８−アルコキシ、ニトロ基が結合していてもよく；
ＲεはＣ１−Ｃ８−アルキル、Ｃ２−Ｃ８−アルケニル又はＣ２−Ｃ８−アルキニルであり、これらの基は部分的又は完全にハロゲン化されていてもよく及び／又はこれらの基に１、２又は３個のシアノ、Ｃ１−Ｃ８−アルコキシ、Ｃ３−Ｃ８−シクロアルキルが結合していてもよい）
である］
を有するものである。
【０１１７】
式ＩＩＩＡ又はＩＩＩＢを有する特に好ましい化合物は、Ｒｂが以下の意味：
ａ）フェニルオキシメチレン、ピリジニルオキシメチレン、ピリミジニルオキシメチレン又はピラゾリルオキシメチレン（ここで、芳香族基は場合によりＣ１−Ｃ８−アルキル、ハロゲン、ＣＦ３、ＣＨＦ２、−Ｃ（ＣＨ３）＝ＮＯＣＨ３、及び場合により１、２又は３個のハロゲン原子及び／又はＣ１−Ｃ８−アルキル基で置換されているフェニルから相互に独立して選択される１、２又は３個の置換基を有している）；
ｂ）場合により１、２又は３個のハロゲン原子、又は場合によりハロゲン又はシアノ置換基を有しているフェノキシ基で置換されているフェノキシ又はピリミジニルオキシ；
ｃ）フェニルエテニレン又はピラゾリルエテニレン（ここで、フェニル又はピラゾリル基は場合によりハロゲン、ＣＦ３、ＣＨＦ２及びフェニルから相互に独立して選択される１、２又は３個の置換基を有している）；
ｄ）ＣＨ２ＯＮ＝ＣＲαＲβ
[式中、
ＲαはＣ１−Ｃ８−アルキルであり、
Ｒβは場合によりＣ１−Ｃ８−アルキル、ハロゲン、ＣＦ３及びＣＨＦ２から相互に独立して選択される１、２又は３個の置換基を有しているフェニル、又は場合により１又は２個のＣ１−Ｃ８−アルコキシ基で置換されているピリミジニルである]；
ｅ）ＣＨ２ＯＮ＝ＣＲγＣＲδ＝ＮＯＲε
[式中、
ＲγはＣ１−Ｃ８−アルキル、Ｃ１−Ｃ８−アルコキシ又はハロゲンであり、
ＲδはＣ１−Ｃ８−アルキル、シアノ、ハロゲン、Ｃ１−Ｃ８−アルコキシ、Ｃ１−Ｃ８−アルケニル、又は場合により１、２又は３個のハロゲン原子で置換されているフェニルであり、
ＲεはＣ１−Ｃ８−アルキルである]
の１つを有しているものである。
【０１１８】
式ＩＩＩＡを有する特に好ましい化合物は、Ｑがフェニルであり、ｎが０であるものである。
【０１１９】
特に好ましいストロビルリンは、アゾキシストロビン、ジモキシストロビン、フルオキサストロビン、クレソキシム−メチル、メタミノストロビン、オリサストロビン、ピコキシストロビン、ピラクロストロビン及びトリフロキシストロビンの一般名で公知のものである。ピラクロストロビン、アゾキシストロビン及びジモキシストロビンがより好ましい。アゾキシストロビン及びジモキシストロビン、特にジモキシストロビンが更に好ましい。
【０１２０】
モルホリン殺菌剤は、モルホリン基
【化７】
2009525373.tif 000008
を含む殺菌上活性な化合物である。
【０１２１】
モルホリン殺菌剤及びその製造方法は、原則として当業者に公知であり、例えば参照により全文を本明細書に組み入れるＦａｒｍ  Ｃｈｅｍｉｃａｌｓ  Ｈａｎｄｂｏｏｋ，Ｍｅｉｓｔｅｒ  Ｐｕｂｌｉｓｈｉｎｇ  Ｃｏｍｐａｎｙ又はｔｈｅ  Ｃｏｍｐｅｎｄｉｕｍ  ｏｆ  Ｐｅｓｔｉｃｉｄｅ  Ｃｏｍｍｏｎ  Ｎａｍｅｓ，ｈｔｔｐ：／／ｗｗｗ．ｈｃｌｒｓｓ．ｄｅｍｏｎ．ｃｏ．ｕｋ／に記載されている。
【０１２２】
好ましいモルホリン殺菌剤は、アルジモルフ、ベンズアモルフ、カルバモルフ、ジメトモルフ、ドデモルフ、フェンプロピモルフ、フルモルフ及びトリデモルフの一般名で公知のものである。これらの中で、ジメトモルフが特に好ましい。
【０１２３】
本発明によれば、上記殺菌剤の同一クラス又は異なるクラスから選択される該殺菌剤の２つ以上の組合せを使用することも可能である。混用（本発明の関連で、２つ以上の殺菌剤の組合せとも称される）は異なる殺菌剤の混合物の使用又はその別々の使用を含み、この場合殺菌剤を同時に及び順次、すなわち例えば数秒〜数ヶ月の間隔で使用することも可能である。
【０１２４】
本発明に従って使用しようとする殺菌剤は、好ましくはアリール−及び／又はヘテロシクリルアニリド、ストロビルリン及びアゾールから選択される。これらのクラスの殺菌剤の適当な及び好ましい代表例に関しては、上記したことを参照されたい。これらのクラスの殺菌剤の少なくとも２つの代表例の混用も好ましい。
【０１２５】
本発明の好ましい実施形態では、使用される殺菌剤は少なくとも１つのアリール−及び／又はヘテロシクリルアニリドである。適当な及び好ましいアニリドに関しては、上記したことを参照されたい。使用されるアニリド殺菌剤は特にボスカリドである。
【０１２６】
本発明の別の好ましい実施形態では、使用される殺菌剤は少なくとも１つのアゾールである。適当な及び好ましいアゾールに関しては、上記したことを参照されたい。使用されるアゾール殺菌剤は好ましくはメトコナゾール、プロチオコナゾール又はテブコナゾール、或いはその組合せである。使用されるアゾール殺菌剤は特にメトコナゾールである。
【０１２７】
本発明の代替の好ましい実施形態では、少なくとも１つのストロビルリンが殺菌剤として使用される。適当な及び好ましいストロビルリンに関しては、上記したことを参照されたい。アゾキシストロビン又はジモキシストロビン、或いはその組合せがストロビルリン殺菌剤として好ましく使用される。特に、ジモキシストロビンがストロビルリン殺菌剤として使用される。
【０１２８】
本発明の別の好ましい実施形態では、少なくとも１つのアリール−又はヘテロシクリルアニリド殺菌剤が少なくとも１つのアゾール殺菌剤と一緒に使用される。これに関連して、好ましいアニリド殺菌剤はボスカリドである。好ましいアゾール殺菌剤はメトコナゾールである。
【０１２９】
本発明の代替の好ましい実施形態では、少なくとも１つのアリール−又はヘテロシクリルアニリド殺菌剤が少なくとも１つのストロビルリン殺菌剤と一緒に使用される。これに関連して、好ましいアニリド殺菌剤はボスカリドである。好ましいストロビルリン殺菌剤はジモキシストロビンである。
【０１３０】
具体的には、殺菌剤として、少なくとも１つのアリール−又はヘテロシクリルアニリド（特に、ボスカリド）を適当ならば少なくとも１つのアゾール殺菌剤（特に、メトコナゾール）と一緒に、又は適当ならば少なくとも１つのストロビルリン殺菌剤（特に、ジモキシストロビン）と一緒に使用するか、或いは少なくとも１つのアゾール殺菌剤（特に、メトコナゾール）を使用する。
【０１３１】
一般的には、本発明に従って油科作物産物の品質及び適当ならば量を増加させるため又は種子油科作物の種皮のもろさを減らすために使用される殺菌剤は、油科作物又はその植物部分、或いは油科作物の種子が上記化合物で処理されるように使用される。油科作物又はその植物部分、或いは種子が本発明に従って使用される少なくとも１つの殺菌剤と接触するように油科作物又はその種子の処理を実施することが好ましい。このためには、少なくとも１つの殺菌剤を植物又はその植物部分、或いは種子に施用する。本発明に従って使用される複数の殺菌剤を組み合わせるならば、該殺菌剤を混合物として又は別々に施用することができる。別々に施用する場合には、各活性物質の施用を同時に実施でき、又は一連の処理の中で分割できる。連続施用の場合、数秒又は数分〜数週間又は数ヶ月（例えば、最長１０ヶ月）の間隔で施用することが可能である。１つの活性物質を例えば数秒又は数分〜数週間又は数ヶ月（例えば、最長１０ヶ月）の各施用間隔で繰り返し施用することも可能である。
【０１３２】
いずれの場合も施用タイミング、施用回数及び施用量は普及している条件に適応させ、個々のケースに対して当業者により決定されなければならない。いずれの場合も使用される活性物質とは別に、特に無傷の植物を圃場条件下で処理するかどうか、又は種子を処理するかどうかについて違いが生じなければならない。
【０１３３】
そのまま、製剤の形態、又は製剤から調製した使用形態の活性物質はスプレー、噴霧、ネブライジング、散粉、散布又は注入により施用され得る。使用形態は全体として意図する用途、特に植物種及び変種及び／又は活性物質を施用しようとする植物部分又は植物産物に依存する。いずれの場合も、本発明に従って使用される活性物質及び補助物質ができるだけ細かく分布されなければならない。
【０１３４】
本発明に従って使用される殺菌剤は、典型的には作物保護及び貯蔵品の保護の分野で慣用されているような製剤の形態で使用される。
【０１３５】
慣用されている製剤の例は、液剤、エマルション剤、サスペンション剤、ディスパージョン剤、ペースト剤、ダスト剤、散布用材料、粉剤及び粒剤である。
【０１３６】
製剤は公知の方法で、例えば活性物質を溶媒及び／又は担体で、所望により乳化剤及び分散剤を用いて希釈することにより作成される。適当な溶媒／助剤は、主に
−水、芳香族溶媒（例えば、Ｓｏｌｖｅｓｓ製品、キシレン）、パラフィン（例えば、鉱油留分）、アルコール（例えば、メタノール、ブタノール、ペンタノール、ベンジルアルコール）、ケトン（例えば、シクロヘキサノン、γ−ブチロラクトン）、ピロリドン（ＮＭＰ、ＮＯＰ）、アセテート（グリコールジアセテート）、グリコール、ジメチル脂肪アミド、脂肪酸及び脂肪酸エステル（原則として、溶媒混合物を使用することも可能である）；
−担体、例えば天然鉱物（例：カオリン、クレー、タルク、チョーク）及び粉砕合成鉱物（例：高分散性シリカ、シリケート）；
−界面活性物質、例えば芳香族スルホン酸（例：リグノスルホン酸、フェノールスルホン酸、ナフタレンスルホン酸及びジブチルナフタレンスルホン酸）及び脂肪酸のアルカリ金属塩、アルカリ土類金属塩、アンモニウム塩、アルキルアリールスルホネート、アルキルスルフェート、アルキルスルホネート、脂肪アルコールスルフェート、脂肪酸及び硫酸化脂肪アルコールグリコールエーテル、スルホン化ナフタレン及びナフタレン誘導体とホルムアルデヒドの縮合物、ナフタレン又はナフタレンスルホン酸とフェノール及びホルムアルデヒドの縮合物、ポリオキシエチレンオクチルフェノールエーテル、エトキシル化イソオクチルフェノール、オクチルフェノール又はノニルフェノール、アルキルフェニルポリグリコールエーテル、トリブチルフェニルポリグリコールエーテル、トリステアリルフェニルポリグリコールエーテル、アルキルアリールポリエーテルアルコール、イソトリデシルアルコール、アルコール及び脂肪アルコール／エチレンオキシド縮合物、エトキシル化ヒマシ油、ポリオキシエチレン又はポリオキシプロピレンアルキルエーテル、エトキシル化ポリオキシプロピレン、ラウリルアルコールポリグリコールエーテルアセテート、ソルビトールエステル、リグニン−亜硫酸廃液、メチルセルロース又はシロキサンである。適当なシロキサンの例は「展着剤」又は「浸透剤」とも称されるポリエーテル／ポリメチルシロキサンコポリマーである。
【０１３７】
適当な不活性製剤助剤、特に直接スプレー可能な液剤、エマルション剤、ペースト剤又はオイルディスパージョン剤の調製のために適当な不活性製剤助剤は、本質的に中〜高沸点を有する鉱油留分（例えば、灯油又はディーゼル油）、更にコールタール油、植物又は動物起源の油、脂肪族、環状及び芳香族炭化水素（例えば、トルエン、キシレン、パラフィン、テトラヒドロナフタレン、アルキル化ナフタレン又はその誘導体）、アルコール（例えば、メタノール、エタノール、プロパノール、ブタノール及びシクロヘキサノール）、ケトン（例えば、シクロヘキサノン及びイソホロン）、強極性溶媒（例えば、ジメチルスルホキシド、Ｎ−メチルピロリドン又は水）である。
【０１３８】
粉剤、散布用材料及びダスト剤は、活性物質を固体担体と一緒に混合又は付随的に粉砕することにより作成され得る。
【０１３９】
粒剤（例えば、被覆粒剤、含浸粒剤及び均質粒剤）は、固体担体に活性物質を結合させることにより作成され得る。
【０１４０】
固体担体の例は、無機土類（例えば、シリカゲル、シリケート、タルク、カオリン、アタクレイ、石灰岩、石灰、白亜、赤土、黄土、クレー、ドロマイト、珪藻土、硫酸カルシウム、硫酸マグネシウム、酸化マグネシウム）、粉砕合成材料、肥料（例えば、硫酸アンモニウム、リン酸アンモニウム、硝酸アンモニウム、尿素）、植物起源の生成物（穀物粉、樹皮粉、木材粉及び堅果殻粉）、セルロース粉末及び他の固体担体である。
【０１４１】
通常、製剤は本発明に従って使用される殺菌剤を製剤の全重量に基づいて０．０１〜９５重量％、好ましくは０．１〜９０重量％の全量で含む。
【０１４２】
水で希釈するための製品（製剤）は、例えば水溶液剤（ＳＬ）、分散液剤（ＤＣ）、乳剤（ＥＣ）、エマルション剤（ＥＷ、ＥＯ）、サスペンション剤（ＳＣ、ＯＤ、ＳＥ）、顆粒水和剤及び顆粒水溶剤（ＷＧ、ＳＧ）、並びに水和剤及び水溶剤（ＷＰ、ＳＰ）である。直接施用するための製品（製剤）は、例えばダスト剤（ＤＰ）、粒剤（ＧＲ、ＦＧ、ＧＧ、ＭＧ）及びＵＬＶ溶液（ＵＬ）である。
【０１４３】
水性使用形態は、原液、例えば水溶液剤、乳剤、サスペンション剤、ペースト剤、水和剤（スプレー可能な粉剤、オイルディスパージョン剤）又は顆粒水和剤からも水を添加することにより調製し、例えばスプレーすることにより施用され得る。
【０１４４】
エマルション剤、ペースト剤又はオイルディスパージョン剤を作成するためには、そのままの或いは油又は溶媒中に溶解させた本発明に従って使用される殺菌剤を湿潤剤、粘着剤、分散剤又は乳化剤を用いて水中で均質化し得る。しかしながら、活性物質、湿潤剤、固着剤、分散剤又は乳化剤、及び適当ならば溶媒又は油から構成される濃厚物を調製することも可能であり、この濃厚物は水で希釈するのに適している。勿論、使用形態は原液中に使用されている助剤を含む。
【０１４５】
水で希釈される製剤中の活性物質濃度は広範囲で変更可能である。通常０．０００１〜１０重量％、好ましくは０．０１〜１重量％である。
【０１４６】
活性物質に各種タイプの油、湿潤剤、安全化剤、助剤、他の殺菌剤、殺虫剤、殺細菌剤、生育調節剤、又は例えば微量元素及び／又はオリゴ元素を含む葉面肥料を添加してもよい。この添加は、適当ならば施用直前になされる（タンクミックス）。上記物質を本発明に従って使用される殺菌剤とは別々に施用してもよいが、殺菌剤の施用前、施用と同時又は施用後に別々に施用することも可能である。これらの物質は本発明に従って使用される殺菌剤に対して１：２００〜２００：１、好ましくは１：１００〜１００：１の重量比で混合され得る。
【０１４７】
本発明に従って使用される殺菌剤と作物保護において慣用されている別の活性物質（例えば、他の殺菌剤）の混用は、これらの活性物質の混合物（例えば、結合製剤又はタンクミックス）を使用することにより、又は各活性物質を別々に、同時に又は順次施用することにより実施され得る。
【０１４８】
本発明に従って使用される殺菌剤を少なくとも１つの上記物質と一緒に使用する場合、上記した以外の少なくとも１つの殺菌剤との併用が特に適当である。
【０１４９】
本発明に従って使用される殺菌剤を一緒に使用し得る殺菌剤の以下のリストは可能な組合せを示すために意図されているが、限定するものではない：
−アシルアラニン、例えばベナラキシル、メタラキシル、オフレース、オキサジキシル；
−アミン誘導体、例えばアルジモルフ、ドジン、ドデモルフ、フェンプロピモルフ、フェンプロピジン、クアザチン、イミノクタジン、スピロキサミン、トリデモルフ；
−アニリノピリミジン、例えばピリメタニル、メパニピリム又はシプロジニル；
−抗生物質、例えばシクロヘキシミド、グリセオフルビン、カスガマイシン、ナタマイシン、ポリオキシン又はストレプトマイシン；
−ジチオカルバメート、例えばフェルバム、ナーバム、マネブ、マンコゼブ、メタム、メチラム、プロピネブ、ポリカーバメート、チラム、ジラム、ジネブ；
−ヘテロ環式化合物、例えばアニラジン、シアゾファミド、ダゾメット、ジチアノン、フェンアミドン、フェナリモル、フベリダゾール、イソプロチオラン、ヌアリモル、プロベナゾール、プロキナジド、ピリフェノックス、ピロキロン、キノキシフェン、シルチオファム、チアベンダゾール、トリシクラゾール、トリホリン；
−銅殺菌剤、例えばボルドー液、酢酸銅、オキシ塩化銅、塩基性硫酸銅；
−ニトロフェニル誘導体、例えばビナパクリル、ジノカップ、ジノブトン、ニトロフタル-イソプロピル；
−フェニルピロール、例えばフェンピクロニル又はフルジオキソニル；
−硫黄；
−他の殺菌剤、例えばアシベンゾラル−Ｓ−メチル、カルプロパミド、クロロタロニル、シフルフェナミド、シモキサニル、ジクロメジン、ジクロシメット、ジエトフェンカルブ、エディフェンホス、エタボキサム、フェンヘキサミド、酢酸フェンチン、フェノキサニル、フェリムゾン、フルアジナム、ホセチル、ホセチル−アルミニウム、ヘキサクロロベンゼン、メトラフェノン、ペンシクロン、フタリド、トロクロホス−メチル、キントゼン、ゾキサミド；
−シンナムアミド及びアナログ、例えばジメトモルフ、フルメトバー又はフルモルフ。
【０１５０】
本発明に従って使用される殺菌剤を油科作物又はその一部に対して施用することが好ましい。勿論、処理は生きている植物に対して、すなわち植物の生育相中に実施する。植物の地上部分に対して施用することが好ましい。
【０１５１】
圃場施用、すなわち生育中の植物又はその植物部分に対して施用するために好ましい実施形態では、本発明に従って使用される殺菌剤を水性スプレー混合物の形態で使用する。スプレーにより施用することが好ましい。この場合、植物のすべての地上部分又は個々の植物部分（例えば、花、果実、葉又は各枝条）のみを処理する。処理しようとする各植物部分の選択は植物種及びその発育段階に依存する。植物のすべての地上部分を処理することが好ましい。
【０１５２】
圃場施用を実施する場合、本発明に従って使用される殺菌剤は通常５〜３０００ｇの各活性物質／ｈａ／シーズン、好ましくは１０〜１０００ｇの各活性物質／ｈａ／シーズン、特に好ましくは５０〜５００ｇの各活性物質／ｈａ／シーズンの量で使用される。
【０１５３】
本発明に従って使用される殺菌剤は１シーズンあたり好ましくは１〜５回、特に好ましくは１〜３回、特に１又は２回施用される。
【０１５４】
種子の場合、本発明に従って使用される殺菌剤はこのタイプの施用のために通常使用されている製剤に使用される。
【０１５５】
種子に対して施用する場合、本発明に従って使用される殺菌剤は、通常種子１ｋｇあたり０．０１ｇ〜５００ｇ、好ましくは０．５ｇ〜２００ｇの各活性物質の量で使用される。
【０１５６】
本発明の別の主題は、生育相中の油科作物又はその植物部分、或いはその種子を少なくとも１つの上記した殺菌剤で処理し、油科作物産物を得ることを含む油科作物産物の品質及び適当ならば量の増加方法である。
【０１５７】
油科作物産物の品質及び適当ならば量の増加は上に定義した通りである。
【０１５８】
植物の生育相は出芽から収穫までの期間を意味すると理解される。
【０１５９】
適当な及び好ましい油科作物、油科作物産物及び殺菌剤、並びに施用の量及びタイプに関しては、上記したことを参照されたい。
【０１６０】
生育相中の油科作物又はその植物部分を処理することが好ましい。これに関連して、油科作物を開花相中に少なくともある程度まで処理することが好ましい。すなわち、少なくとも１つの殺菌剤を開花相中に施用し、適当ならば同一の殺菌剤又は異なる殺菌剤を異なる生育相中に使用する。本発明に従って使用しようとする複数の殺菌剤を組み合わせるならば、１つの殺菌剤を開花相中に使用し、他の殺菌剤を開花相前、例えば春及び／又は秋に使用することが好ましい。例えばアニリド殺菌剤をアゾール殺菌剤と組み合わせるならば、アニリド殺菌剤を開花相中に施用し、アゾール殺菌剤をその前の時点に、例えば春及び／又は秋に施用することが好ましい。
【０１６１】
油は、油科作物の種子、果実及び／又は堅果である植物の油生産部分から当該植物又は植物産物に対して慣用されている方法で、例えば圧搾により及び／又は抽出により得られる。当業者は各植物又はその植物産物において必要とされる前−又は後処理手段を十分に知っている。
【０１６２】
油を圧搾により得ると、プレスケーキとして公知のものが残留物として生ずる。このプレスケーキは例えば飼料又は燃料として使用され得る。
【０１６３】
上記した殺菌剤の本発明の使用又は本発明の方法により、処理した植物の産物、特に油科作物から得た油及び／又はこの油の反応生成物（例えば、そのＣ１−Ｃ４−アルキルエステル）のリン含量が減少することが好ましい。
【０１６４】
或いは又は加えて、上記した殺菌剤の本発明の使用及び／又は本発明の方法により、処理した植物の産物、特に油科作物から得た油及び／又はこの油の反応生成物（例えば、そのＣ１−Ｃ４−アルキルエステル）のアルカリ金属及び／又はアルカリ土類金属含量、特にアルカリ土類金属含量、具体的にはカルシウム及びマグネシウム含量が減少する。
【０１６５】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の酸含量（酸価として測定される）が減少する。
【０１６６】
或いは又は加えて、上記した殺菌剤の本発明の使用又は本発明の方法により、処理した植物の産物、特に油科作物から得た油及び／又はこの油の反応生成物（例えば、そのＣ１−Ｃ４−アルキルエステル）のヨウ素価が低下する。
【０１６７】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の耐酸化性が増加する。
【０１６８】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の全体的汚染が少なくなる。
【０１６９】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の動粘度が低下する。
【０１７０】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の硫黄含量が減少する。
【０１７１】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の引火点が上昇する。
【０１７２】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の発熱量が増加する。
【０１７３】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）のコークス残留物が減少する。
【０１７４】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）のセタン価が上昇する。
【０１７５】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の窒素含量が減少する。
【０１７６】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の塩素含量が減少する。
【０１７７】
或いは又は加えて、上記した殺菌剤の本発明の使用又は本発明の方法により、処理した植物の産物、特に油科作物から得た油及び適当ならばこの油の反応生成物（例えば、そのＣ１−Ｃ４−アルキルエステル）の錫、亜鉛、ケイ素及び／又はホウ素含量が減少する。
【０１７８】
上記した殺菌剤の本発明の使用又は本発明の方法により、処理した植物の産物、特に油科作物から得た油及び適当ならばこの油の反応生成物（例えば、そのＣ１−Ｃ４−アルキルエステル）の(i)〜(xi)、より好ましくは(i)〜(viii)、特に(i)〜(vii)に挙げられている特性が改良されることが特に好ましい。
【０１７９】
上記した殺菌剤の本発明の使用又は本発明の方法により、処理した植物の産物、特に油科作物から得た油及び／又はこの油の反応生成物（例えば、そのＣ１−Ｃ４−アルキルエステル）のリン含量並びに／又はアルカリ金属及び／若しくはアルカリ土類金属含量が減少し、特にリン含量が減少することが特に好ましい。従って、本発明の方法は、より少ないリン含量並びに／又はアルカリ金属及び／若しくはアルカリ土類金属含量、特により少ないリン含量を有する油脂植物産物、特に植物油及び／又はその反応生成物（例えば、そのＣ１−Ｃ４−アルキルエステル）を製造するのに特に役立つ。
【０１８０】
油脂植物産物、特に油及び適当ならばその反応生成物の酸含量は、例えばＤＩＮ  ＥＮ  １４１０４に規定されているように（酸価として）測定され得る。耐酸化性はＤＩＮ  ＥＮ  １４１１２に規定されているように測定され得る。リン含量はＤＩＮ  ＥＮ  １４１０７に規定されているように測定され得、アルカリ金属（主に、Ｎａ及びＫ）及びアルカリ土類金属（カルシウム及びマグネシウム）含量はＤＩＮ  ＥＮ  １４５３８に規定されているように測定され得る。ヨウ素価はＥＮ  １４１１１に規定されているように測定され得る。全体的汚染は例えばＥＮ  １２６６２に規定されているように測定され得る。動粘度は例えばＥＮ  ＩＳＯ  ３１０４に規定されているように測定され得る。引火点はＥＮ  ＩＳＯ  ２７１９に規定されているように測定され得、真発熱量はＤＩＮ  ５１９００−１及び−３に規定されているように測定され得、コンラドソンコークス残留物はＥＮ  ＩＳＯ  １０３７０に規定されているように測定され得、セタン価はＤＩＮ  ５１７７３に規定されているように測定され得る。硫黄含量はＥＮ  ＩＳＯ  ２０８８４に規定されているように測定され得、塩素含量はＤＩＮ  ５１５７７−３に規定されているように測定され得る。錫、亜鉛及びケイ素含量はＤＩＮ  ５１３９６−１に規定されているように測定され得、ホウ素含量はＤＩＮ  ５１４４３−２に規定されているように測定され得る。
【０１８１】
用語「リン含量」、「アルカリ金属含量」、「アルカリ土類金属含量」、「酸含量／酸価」、「ヨウ素価」、「耐酸化性」、「全体的汚染」、「動粘度」、「引火点」、「真発熱量」、「コークス残留物」、「セタン価」、「硫黄含量」、「塩素含量」及び「亜鉛、錫、ケイ素及びホウ素含量」は、好ましくはその大きさを測定するための対応標準規格において規定されている通りである。
【０１８２】
油科作物産物の例えばリン含量及び／若しくはアルカリ金属含量及び／若しくはアルカリ土類金属含量及び／若しくは酸含量の減少並びに／又は耐酸化性の向上等で表される品質の増加は、多分少なくとも一部は本発明に従って使用される殺菌剤の浸透活性に起因し得る。前記活性により、油含有植物産物、すなわち果実、種子及び／又は堅果の例えばリン含量及び／若しくはアルカリ金属／アルカリ土類金属含量及び／若しくは酸含量及び／若しくは不飽和脂肪酸の含量が低下し、並びに／又は天然抗酸化剤の含量が増加する。よって、油及びそこから得られるプレスケーキ及び油の反応生成物のリン含量、アルカリ金属／アルカリ土類金属含量及び／若しくは酸含量等も減少し、並びに／又は耐酸化性が増加する。
【０１８３】
リン化合物及び／又はアルカリ金属及び特にアルカリ土類金属化合物の含量のみならず、（全体的汚染として測定される）懸濁物及び他の望ましくない成分の含量の低下は、特に種子油科作物の場合、多分、特に殺菌剤の本発明の使用により種子油科作物の種皮のもろさが減るという事実にも起因している。その結果、種皮は余りもろくなくなり、油を得るための圧搾中少ししか粉砕されないので種皮の成分は少ししか抽出されない。種皮のもろさの低下、すなわち弾性の上昇により、油含有植物産物を圧搾するときにより低い圧力を使用することができ、種皮からの望ましくない成分の抽出が少なくなる。よって、より高い圧搾圧力及び／又はより高い圧搾温度を適用すると、油の品質に関する特定の限界（例えば、リン限界）が守られ得、油の収量はより過酷な圧搾条件の結果として有意に増加する。このことは、油の特定の場合には上記した殺菌剤を使用すると品質が向上するだけでなく、量も増加することを意味する。
【０１８４】
本発明の更なる主題は、生育相中の種子油科作物又はその植物部分、或いはその種子を少なくとも１つの上記した殺菌剤で処理する種子油科作物の種皮のもろさを減らす方法である。
【０１８５】
適当な及び好ましい種子油科作物及び殺菌剤、並びに殺菌剤を使用する方法及び量に関しては、ここでも上記したことを参照されたい。
【０１８６】
生育相中の油科作物又はその植物部分を処理することが好ましい。処理の好ましいタイミングに関しても上記したことを参照されたい。
【０１８７】
本発明は、本発明に従って処理した種子油科作物から得られ得る種子油科作物からの種子にも関する。本発明に従って処理されていない種子油科作物から得た種子と比較して、本発明の種子は種皮のもろさが低いことにより区別されることが好ましい。更に、本発明の種子が、これらから得られる油及びその反応生成物が(i)〜(xv)に挙げられている特性の少なくとも１つ、好ましくはより低い酸価及び／又はより高い耐酸化性を有している事実により区別されることが好ましい。或いは又は加えて、本発明の種子がより少ないリン含量及び／又はより少ないアルカリ金属及び／又は特にアルカリ土類金属含量により区別されることが好ましい。
【０１８８】
更に、本発明は、本発明の方法により得られ得る油科作物産物に関する。油科作物産物は特に(i)〜(xv)に挙げられている特性の少なくとも１つ、好ましくはより少ないリン含量及び／又はより少ないアルカリ金属及び特にアルカリ土類金属化合物の含量により区別される。加えて又は或いは、油科作物産物がより少ない酸含量及び／又はより高い耐酸化性により区別されることが好ましい。
【０１８９】
油科作物産物は油科作物の油含有果実及び種子、これらから得られる油、油を圧搾方法により得るときに生ずるプレスケーキ及び油の反応生成物、例えばそのＣ１−Ｃ４−アルコールとのエステル交換反応生成物から選択することが好ましい。
【０１９０】
第一に、油含有果実は食料又は飼料として使用され得る。第二に、油含有果実は油を得るために使用され得る。油含有果実を油を得るために使用することが好ましい。
【０１９１】
油含有種子が種子油科作物の種子の形態をとることが好ましい。油科作物、特に種子油科作物の油含有種子は第一に食料又は飼料として使用され得る。或いは、油含有種子は油を得るために使用され得る。油含有種子は、特に炉設備におけるエネルギー源として、すなわち燃料として直接使用するのにも適している。油含有種子を、油を得るため又はエネルギーの直接源として、すなわち燃料として、特に油を得るために使用することが好ましい。
【０１９２】
上記したように、本発明の種子は、未処理の種子油科作物から得た種子と比較して、特により少ないリン含量及び／又はより少ないアルカリ金属及び特にアルカリ土類金属含量、並びに種皮のより低いもろさにより、特により少ないリン含量及び種皮のより低いもろさにより区別される。この種子から得た油（及びその反応生成物）は、本発明に従って処理されていない植物から得た油と比較して、特により高い耐酸化性及び／又はより低い酸価及び／又はより少ないリン含量及び／又はより少ないアルカリ金属及び／又はアルカリ土類金属の含量を有している。加えて又は或いは、本発明に従って得た油は、（本発明に従って処理されていない植物から得た油と比較して）(iv)、(v)及び(vii)〜(xv)に挙げられている特性の少なくとも１つにより、例えばより低いヨウ素価、より低い動粘度及び／又はより少ない全体的汚染等により区別される。
【０１９３】
本発明に従って処理した油科作物の果実及び／又は種子から得た油は、食品部門において例えば食用油として又はマーガリンを製造するために、化粧品分野において例えば担体として、潤滑剤として、又はエネルギー源として、すなわちモーター燃料を含めた燃料として使用され得る。得られた油を食品部門において使用する場合、望ましくないフレーバー、アロマ物質、着色剤、食用に適しない成分等を除去するために更なる精製ステップにかけなければならないかもしれない。
【０１９４】
好ましくは、油はモーター燃料を含めた燃料として使用される。
【０１９５】
本発明の油は、未処理の油科作物から得た油と比較して、特に、より少ない酸含量及び／又は改善された耐酸化性及び／又はより少ないリン含量及び／又はより少ないアルカリ金属及び特にアルカリ土類金属化合物の含量及び／又はより少ない懸濁物及び他の妨害成分の含量により区別される。加えて又は或いは、本発明の油は、（本発明に従って処理されていない植物から得た油と比較して）(iv)、(v)及び(vii)〜(xv)に挙げられている少なくとも１つの特性、例えばより低いヨウ素価、より低い動粘度及び／又はより少ない全体的汚染等により区別される。
【０１９６】
油の反応生成物がそのＣ１−Ｃ４−アルコールとの反応生成物、すなわち油の主成分である脂肪酸のＣ１−Ｃ４−アルキルエステルの形態をとることが好ましい。油の反応生成物が油とメタノール又はエタノール（特に、メタノール）のエステル交換反応生成物の形態、すなわち油の主成分である脂肪酸のメチル又はエチルエステル（特に、メチルエステル）の形態をとることが特に好ましい。Ｃ１−Ｃ４−アルキルエステルは、通常、植物油を触媒（通常、塩基）の存在下でＣ１−Ｃ４−アルコールを用いてエステル交換することにより得ることができる。このプロセス中、油の脂肪酸トリグリセリドは当該脂肪酸のＣ１−Ｃ４−アルキルエステルに変換される。本発明の目的で、これらのエステルを植物油のＣ１−Ｃ４−アルキルエステルと称する。
【０１９７】
油の反応生成物、特にそのＣ１−Ｃ４−アルコールとのエステル交換反応生成物はエネルギー源として、すなわちモーター燃料を含めた燃料として使用するのに特に適している。
【０１９８】
本発明の油の反応生成物、特に油のＣ１−Ｃ４−アルキルエステルは油に関して挙げている特性により区別される。
【０１９９】
油科作物の果実及び／又は種子を圧搾するとき得られた残留物はプレスケーキであり、このプレスケーキは果実及び種子と同様により少ないリン及び／又はアルカリ金属及び特にアルカリ土類金属化合物の含量、特により少ないリン含量により区別される。酸含量が低下していることもある。このプレスケーキは飼料部門だけでなく、特に炉設備において直接エネルギー源として、すなわち燃料としても使用され得、エネルギー源として使用することが好ましい。
【０２００】
油科作物産物を種子、植物油及びその反応生成物、例えばＣ１−Ｃ４−アルコールとのエステル交換反応生成物から選択することが特に好ましい。油科作物産物は特に油及びその反応生成物、例えばＣ１−Ｃ４−アルコールとのエステル交換反応生成物から選択される。
【０２０１】
本発明は更に、本発明の油及び／又はそのＣ１−Ｃ４−アルカノールとの少なくとも１つのエステル交換反応生成物を含む再生可能燃料に関する。
【０２０２】
本発明の目的で、再生可能燃料は、燃料の全重量に基づいて少なくとも１重量％、好ましくは少なくとも５重量％、より好ましくは少なくとも１０重量％、更に好ましくは少なくとも２０重量％、特に少なくとも５０重量％のバイオディーゼル及び／又は植物油を含む燃料である。具体的には、再生可能燃料は全部バイオディーゼル及び／又は植物油から構成されている。再生可能燃料が全部バイオディーゼル及び／又は植物油から構成されていないならば、バイオディーゼル及び／又は植物油に加えて例えば再生可能であり得る別の燃料、例えばＢＴＬ燃料（バイオマス・トゥ・リキッド）又は他の鉱物、例えば鉱物燃料、例えばディーゼル、暖房用オイル又は灯油のような中間留分を含む。
【０２０３】
本発明の目的で、燃料は、利用可能なエネルギーを例えば熱の形態で放出させながら大気酸素で経済的に燃焼され得る物質を意味すると理解される。その後、熱は例えばボイラー又は暖房システムにおいて直接利用され得、電気を発生させるために使用され得、又は例えばエンジンを作動させるために運動エネルギーに変換され得る。よって、燃料には例えば暖房用オイル及びモーター燃料が含まれる。モーター燃料は、オットエンジン又はディーゼルエンジンのような内燃エンジンを作動させるために使用される燃料、例えばオット燃料、ディーゼル燃料、灯油等である。
【０２０４】
バイオディーゼルは通常、植物油（又は、動物脂質）の低級アルキルエステル、すなわちそのＣ１−Ｃ４−アルキルエステル、特にそのエチル又はメチルエステル、具体的にはそのメチルエステルを意味すると理解される。
【０２０５】
上記低級アルキルエステルは、特に植物油の高い粘度が問題なときには植物油に対して使用又は混合される。
【０２０６】
従って、本発明の再生可能燃料は、本発明の植物油及び／又はそのＣ１−Ｃ４−アルキルエステルと鉱物燃料（例えば、鉱物ディーゼル燃料又は鉱物暖房用オイル）又は他の慣用又は再生可能な燃料の混合物である。又は、本発明の再生可能燃料は本質的に完全に本発明の植物油及び／又はそのＣ１−Ｃ４−アルキルエステルから構成される。
【０２０７】
本発明の植物油のＣ１−Ｃ４−アルキルエステルを得るための本発明の植物油とＣ１−Ｃ４−アルコールを用いるエステル交換反応は慣用の方法に従って実施される。本発明の油のＣ１−Ｃ４−アルキルエステルも本発明の主題である。
【０２０８】
最後に、本発明は、エンジン及び炉設備を少なくともある程度まで本発明の適当な油科作物産物を用いて作動させる、エンジン及び炉設備における燃焼の改善方法に関する。
【０２０９】
炉設備は、エネルギーを例えば熱、蒸気及び／又は電気の形で直接又は間接的に発生させるために適当な燃料を燃やすすべてのシステムを意味すると理解される。
【０２１０】
エンジンは通常、原則として再生可能燃料を用いて作動させ得るエンジンである。これらのエンジンには特にディーゼルエンジン、例えば乗用車、トラック、バス及び農業車（例えば、トラクター）又は共同加熱システムのディーゼルエンジンが含まれる。
【０２１１】
エンジンを本発明の再生可能燃料を用いて作動させることが好ましい。勿論、再生可能燃料が鉱物燃料をも、バイオディーゼル及び／又は植物油に加えて含む場合には前者は鉱物モーター燃料（例えば、鉱物ディーゼル燃料）から選択される。
【０２１２】
炉設備は、本発明の再生可能燃料、本発明のプレスケーキ及び／又は本発明の油含有種子を用いて作動させ得る。
【０２１３】
エンジン及び炉設備を本発明に従って作動させると、その耐用年数が延長し、メンテナンスが簡単となる。
【０２１４】
油科作物を上記した殺菌剤で処理すると、得られる油科作物産物の品質は本発明に従って処理していない油科作物からの油科作物産物よりも高い。特に、前記油科作物産物は、より低い酸含量及び／又はより高い耐酸化性（特に、油及びその反応生成物の場合）及び／又はより少ないリン含量及び／又はより少ないアルカリ金属／アルカリ土類金属含量により区別される。加えて、植物油及びその反応生成物はバイオディーゼル部門での植物油の使用を妨害する他の成分の量を非常に少量でしか含んでいない。更に、植物油の動粘度は低下し、このことは油それ自体を再生可能燃料として使用するのに有利である。更に、上記した殺菌剤で処理すると、特に種子油科作物の場合、種皮のもろさが減り、これにより種子から油を得るために低圧を使用することができ、また高い圧搾圧を使用したときでも特定の物質（例えば、リン化合物）に関する限界を守ることができる。油科作物産物、特に油又はその反応生成物の特性が改善されると、全体としてモーター燃料を含めた再生可能燃料を使用する経済的可能性が向上する。油又はその反応生成物の特性が改善されるとモーター燃料を含めたより低品質の燃料の混合を少なくすることができるという事実は単なる一例として挙げられている。
【０２１５】
本発明を以下の非限定的実施例により説明する。
【実施例】
【０２１６】
１．油のリン含量及びアルカリ土類金属含量
１．１  アブラナをメトコナゾールで処理し、通常圧力で圧搾したときの油のリン含量及びアルカリ土類金属含量
アブラナを２００４／２００５年にドイツにおいて通常条件下で生育させた。２００４年の秋（生育段階ＢＢＣＨ  １４−１６）及び２００５年の春（生育段階ＢＢＣＨ  ３１−５１）に、アブラナの一部をメトコナゾール（市販品Ｃａｒａｍｂａ（登録商標）の形態で使用した；施用量：いずれの場合も６０ｇの活性成分／ｈａ）を噴霧することにより処理した。比較のために、残りのアブラナは未処理とした。植物を２００５年の秋（生育段階ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油のリン含量及びアルカリ土類金属含量（Ｃａ，Ｍｇ）をそれぞれＤＩＮ  ＥＮ  １４１０７及びＤＩＮ  ＥＮ  １４５３８に従って測定した。結果を下表に示す。
【表１】
2009525373.tif 000009
【０２１７】
１．２  アブラナをメトコナゾール又はメトコナゾール＋ボスカリドで処理し、高圧で圧搾したときの油のリン含量
アブラナ品種「Ｔｒａｂａｎｔ」を２００５／２００６年にドイツのＢｏｔｈｋａｍｐ地において通常条件下で生育させた。２００５年の秋（生育段階ＢＢＣＨ  １６−１８）及び２００６年の春（ＢＢＣＨ  ３１−５１）に、アブラナ植物の一部をメトコナゾール（市販品Ｃａｒａｍｂａ（登録商標）の形態で使用した；施用量：いずれの場合も６０ｇの活性成分／ｈａ）を噴霧することにより処理した。他のアブラナ植物の一部を開花（ＢＢＣＨ  ６５）中にボスカリド（市販品Ｃａｎｔｕｓ（登録商標）の形態で使用した；施用量：２５０ｇの活性物質／ｈａ）を噴霧することにより更に処理した。比較のために、アブラナ植物の一部は未処理とした。植物を２００６年の夏（生育段階ＢＢＣＨ  ９２）に収穫した。アブラナをＯｋｏｔｅｃ製プレスを用いて高圧力（ノズル６，７０ｒｐｍ，圧搾ヘッドの温度＞７０℃）下で圧搾し、得られた油のリン含量をＤＩＮ  ＥＮ  １４１０７に従って測定した。結果を下表に示す。
【表２】
2009525373.tif 000010
【０２１８】
１．３  アブラナをメトコナゾールで処理し、通常圧力及び高圧で圧搾したときの油のアルカリ土類金属含量
アブラナ品種「Ｔｒａｂａｎｔ」を２００５／２００６年にドイツのＢｏｔｈｋａｍｐ地において通常条件下で生育させた。２００５年の秋（生育段階ＢＢＣＨ  １６−１８）及び２００６年の春（ＢＢＣＨ  ３１−５１）に、アブラナ植物の一部をメトコナゾール（市販品Ｃａｒａｍｂａ（登録商標）の形態で使用した；施用量：いずれの場合も６０ｇの活性成分／ｈａ）を噴霧することにより処理した。比較のために、残りのアブラナ植物は未処理とした。植物を２００６年の夏（生育段階ＢＢＣＨ  ９２）に収穫した。アブラナをＯｋｏｔｅｃ製プレスを用いて圧搾し、得られた油のアルカリ土類金属含量（Ｃａ，Ｍｇ）をＤＩＮ  ＥＮ  １４５３８に規定されているように測定した。ここで、アブラナの一部を通常圧力（ノズル８，４０ｒｐｍ，圧搾ヘッドの温度６０℃）下で、別の部分を高圧力（ノズル６，７０ｒｐｍ，圧搾ヘッドの温度＞７０℃）下で圧搾した。結果を下表に示す。
【表３】
2009525373.tif 000011
【０２１９】
未処理のアブラナからの油の結果との比較から明らかなように、油中に存在するアルカリ土類金属の相当部分は種皮に由来している。高圧力により得た油のアルカリ土類金属含量は通常圧力の実験と比較してかなり顕著に減少しており、このことからメトコナゾールがアルカリ土類金属含量に関して浸透効果を有しているだけでなく、種皮のもろさを減らしているようであることが分かる。
【０２２０】
２．油の全体的汚染
２．１  アブラナをボスカリド、ボスカリド＋ジモキシストロビン、プロチオコナゾール又はアゾキシストロビンで処理したときの油の全体的汚染
アブラナ品種「Ｌｉｏｎｅｓｓ」を２００５／２００６年にイギリスにおいて通常条件下で生育させた。開花（生育段階ＢＢＣＨ  ６１−６５）中、アブラナ植物をボスカリド（市販品Ｃａｎｔｕｓ（登録商標）の形態で使用した；施用量：２５０ｇの活性物質／ｈａ）、ボスカリド＋ジモキシストロビン（市販品Ｐｉｃｔｏｒ（登録商標）の形態で使用した；施用量：いずれの場合も１００ｇの活性物質／ｈａ）、プロチオコナゾール（市販品Ｐｒｏｌｉｎｅ（登録商標）の形態で使用した；施用量：１７５ｇの活性物質／ｈａ）、又はアゾキシストロビン（市販品Ａｍｉｓｔａｒ（登録商標）の形態で使用した；施用量：２００ｇの活性物質／ｈａ）を噴霧することにより処理した。比較のために、アブラナ植物の一部は未処理とした。植物を２００６年の夏（ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油の全体的汚染をＤＩＮ  ＥＮ  １２６６２に規定されているように測定した。結果を下表に示す。
【表４】
2009525373.tif 000012
【０２２１】
３．耐酸化性
３．１  アブラナをメトコナゾール＋ボスカリド、及びテブコナゾール＋プロチオコナゾールで処理したときの油の耐酸化性
アブラナを２００４／２００５年にドイツにおいて通常条件下で生育させた。２００４年の秋（生育段階ＢＢＣＨ  １４−１６）及び２００５年の春（生育段階ＢＢＣＨ  ３１−５１）に、アブラナ植物の一部をメトコナゾール（市販品Ｃａｒａｍｂａ（登録商標）の形態で使用した；施用量：いずれの場合も６０ｇの活性成分／ｈａ）を噴霧することにより処理した。次いで、開花（ＢＢＣＨ  ６３−６５）中、これらのアブラナ植物をボスカリド（市販品Ｃａｎｔｕｓ（登録商標）の形態で使用した；施用量：２５０ｇの活性成分／ｈａ）を噴霧することにより処理した。２００４年の秋（生育段階ＢＢＣＨ  １４−１６）及び２００５年の春（生育段階ＢＢＣＨ  ３１−５１）に、他のアブラナ植物をテブコナゾール（市販品Ｆｏｌｉｃｕｒ（登録商標）の形態で使用した；施用量：２５１ｇの活性成分／ｈａ）を噴霧することにより処理した。次いで、開花（ＢＢＣＨ  ６３−６５）中、これらのアブラナ植物をプロチオコナゾール（市販品Ｐｒｏｌｉｎｅ（登録商標）の形態で使用した；施用量：１７５ｇの活性成分／ｈａ）を噴霧することにより処理した。比較のために、残りのアブラナ植物は未処理とした。植物を２００５年の夏（生育段階ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油の１１０℃での耐酸化性をＤＩＮ  ＥＮ  １４１１２に規定されているように測定した。結果を下表に示す。
【表５】
2009525373.tif 000013
【０２２２】
３．２  アブラナをボスカリド又はボスカリド＋ジモキシストロビンで処理したときの油の耐酸化性
アブラナ品種「Ｔａｌｅｎｔ」を２００５／２００６年にドイツのＴａｃｈｅｎｈａｕｓｅｎ地において通常条件下で生育させた。開花（生育段階ＢＢＣＨ  ６１−６５）中、アブラナ植物をボスカリド（市販品Ｃａｎｔｕｓ（登録商標）の形態で使用した；施用量：２５０ｇの活性物質／ｈａ）又はボスカリド＋ジモキシストロビン（市販品Ｐｉｃｔｏｒ（登録商標）の形態で使用した；施用量：いずれの場合も１００ｇの活性成分／ｈａ）を噴霧することにより処理した。比較のために、アブラナ植物の一部は未処理とした。植物を２００６年の夏（ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油の耐酸化性をＤＩＮ  ＥＮ  １４１１２に規定されているように測定した。結果を下表に示す。
【表６】
2009525373.tif 000014
【０２２３】
４．酸含量
４．１  アブラナをメトコナゾール＋ボスカリド、及びテブコナゾール＋プロチオコナゾールで処理したときの油の酸含量
アブラナを２００４／２００５年にドイツにおいて通常条件下で生育させた。２００４の秋（生育段階ＢＢＣＨ  １４−１６）及び２００５年の春（生育段階ＢＢＣＨ  ３１−５１）に、アブラナ植物の一部をメトコナゾール（市販品Ｃａｒａｍｂａ（登録商標）の形態で使用した；施用量：いずれの場合も６０ｇの活性成分／ｈａ）を噴霧することにより処理した。次いで、開花（ＢＢＣＨ  ６３−６５）中、これらのアブラナ植物をボスカリド（市販品Ｃａｎｔｕｓ（登録商標）の形態で使用した；施用量：２５０ｇの活性成分／ｈａ）を噴霧することにより処理した。２００４年の秋（生育段階ＢＢＣＨ  １４−１６）及び２００５年の春（生育段階ＢＢＣＨ  ３１−５１）に、他のアブラナ植物をテブコナゾール（市販品Ｆｏｌｉｃｕｒ（登録商標）の形態で使用した；施用量：２５１ｇの活性成分／ｈａ）を噴霧することにより処理した。次いで、開花（ＢＢＣＨ  ６３−６５）中、これらのアブラナ植物をプロチオコナゾール（市販品Ｐｒｏｌｉｎｅ（登録商標）の形態で使用した；施用量：１７５ｇの活性成分／ｈａ）を噴霧することにより処理した。比較のために、残りのアブラナ植物は未処理とした。植物を２００５年の夏（ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油の酸含量をＤＩＮ  ＥＮ  １４１０４に規定されているように測定した。結果を下表に示す。
【表７】
2009525373.tif 000015
【０２２４】
４．２  アブラナをボスカリド又はボスカリド＋ジモキシストロビンで処理したときの油の酸含量
アブラナ品種「Ｌｉｏｎｅｓｓ」を２００５／２００６年にイギリスにおいて通常条件下で生育させた。開花（生育段階ＢＢＣＨ  ６１−６５）中、アブラナ植物をボスカリド（市販品Ｃａｎｔｕｓ（登録商標）の形態で使用した；施用量：２５０ｇの活性物質／ｈａ）又はボスカリド＋ジモキシストロビン（市販品Ｐｉｃｔｏｒ（登録商標）の形態で使用した；施用量：いずれの場合も１００ｇの活性物質／ｈａ）を噴霧することにより処理した。比較のために、アブラナ植物の一部は未処理とした。植物を２００６年の夏（ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油の酸含量をＤＩＮ  ＥＮ  １４１０４に規定されているように測定した。結果を下表に示す。
【表８】
2009525373.tif 000016
【０２２５】
５．動粘度
５．１  アブラナをボスカリド＋ジモキシストロビンで処理したときの油の動粘度
アブラナ品種「Ｌｉｏｎｅｓｓ」を２００５／２００６年にイギリスにおいて通常条件下で生育させた。開花（生育段階ＢＢＣＨ  ６１−６５）中、アブラナ植物をボスカリド＋ジモキシストロビン（市販品Ｐｉｃｔｏｒ（登録商標）の形態で使用した；施用量：いずれの場合も１００ｇの活性物質／ｈａ）を噴霧することにより処理した。比較のために、アブラナ植物の一部を未処理とした。植物を２００６年の夏（ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油の動粘度を４０℃でＥＮ  ＩＳＯ  ３１０４に規定されているように測定した。結果を下表に示す。
【表９】
2009525373.tif 000017
【０２２６】
６．ヨウ素価
６．１  アブラナをボスカリドで処理したときの油のヨウ素価
アブラナ品種「Ｔａｌｅｎｔ」を２００５／２００６年にドイツのＴａｃｈｅｎｈａｕｓｅｎ地において通常条件下で生育させた。開花（生育段階ＢＢＣＨ  ６１−６５）中、アブラナ植物をボスカリド（市販品Ｃａｎｔｕｓ（登録商標）の形態で使用した；施用量：２５０ｇの活性物質／ｈａ）を噴霧することにより処理した。比較のために、アブラナ植物の一部を未処理とした。植物を２００６年の夏（ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油のヨウ素価をＥＮ  １４１１１に規定されているように測定した。結果を下表に示す。
【表１０】
2009525373.tif 000018
【０２２７】
７．硫黄含量
７．１  アブラナをボスカリド、ボスカリド＋ジモキシストロビン、プロチオコナゾール又はアゾキシストロビンで処理したときの油の硫黄含量
アブラナ品種「Ｌｉｏｎｅｓｓ」を２００５／２００６年にイギリスにおいて通常条件下で生育させた。開花（生育段階ＢＢＣＨ  ６１−６５）中、アブラナ植物をボスカリド（市販品Ｃａｎｔｕｓ（登録商標）の形態で使用した；施用量：２５０ｇの活性物質／ｈａ）、ボスカリド＋ジモキシストロビン（市販品Ｐｉｃｔｏｒ（登録商標）の形態で使用した；施用量：いずれの場合も１００ｇの活性物質／ｈａ）、プロチオコナゾール（市販品Ｐｒｏｌｉｎｅ（登録商標）の形態で使用した；施用量：１７５ｇの活性物質／ｈａ）、又はアゾキシストロビン（市販品Ａｍｉｓｔａｒ（登録商標）の形態で使用した；施用量：２００ｇの活性物質／ｈａ）を噴霧することにより処理した。比較のために、アブラナ植物の一部を未処理とした。植物を２００６年の夏（ＢＢＣＨ  ９２）に収穫した。アブラナをＯｋｏｔｅｃ製プレスを用いて通常圧力（ノズル８，４０ｒｐｍ，圧搾ヘッドの温度６０℃）下で圧搾し、得られた油の硫黄含量をＥＮ  ＩＳＯ  ２０８８４に規定されているように測定した。結果を下表に示す。
【表１１】
2009525373.tif 000019
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
油科作物産物の品質及び適当ならば量を増加させるための、アリール−及びヘテロシクリルアニリド、カルバメート、ジカルボキシイミド、アゾール、ストロビルリン並びにモルホリンから選択される少なくとも１つの殺菌剤の使用であって、前記品質の増加が以下の基準：
(i)少なくとも１つの油脂植物産物のリン含量の減少；
(ii)少なくとも１つの油脂植物産物のアルカリ金属及び／又はアルカリ土類金属含量の減少；
(iii)少なくとも１つの油脂植物産物の酸化に対する安定性の増加；
(iv)少なくとも１つの油脂植物産物の全体的汚染の減少；
(v)少なくとも１つの油脂植物産物のヨウ素価の低下；
(vi)少なくとも１つの油脂植物産物の酸価の低下；
(vii)少なくとも１つの油脂植物産物の動粘度の低下；
(viii)少なくとも１つの油脂植物産物の硫黄含量の減少；
(ix)少なくとも１つの油脂植物産物の引火点の上昇；
(x)少なくとも１つの油脂植物産物の真発熱量の増加；
(xi)少なくとも１つの油脂植物産物のコークス残留物の減少；
(xii)少なくとも１つの油脂植物産物のセタン価の上昇；
(xiii)少なくとも１つの油脂植物産物の窒素含量の減少；
(xiv)少なくとも１つの油脂植物産物の塩素含量の減少；並びに
(xv)少なくとも１つの油脂植物産物の錫、亜鉛、ケイ素及び／又はホウ素含量の減少；
から選択される前記使用。
【請求項２】
油科作物産物が果実、種子、プレスケーキ、油、及び油科作物から得た油の反応生成物から選択される、請求項１に記載の使用。
【請求項３】
油の反応生成物が油とＣ１−Ｃ４−アルコールとのエステル交換反応生成物である、請求項２に記載の使用。
【請求項４】
油科作物産物が油科作物から得た油及びその反応生成物から選択される、請求項２又は３に記載の使用。
【請求項５】
油科作物がアブラナ、ターニップレイプ、マスタード、オイルラディッシュ、アマナズナ(false flax)、キバナスズシロ、ハマナ、ヒマワリ、ベニバナ、アザミ、キンセンカ、大豆、ルピナス、アマ、アサ、オイルパンプキン、ポピー、トウモロコシ、アブラヤシ及び落花生から選択される、請求項１〜４のいずれか１項に記載の使用。
【請求項６】
種子油科作物の種皮のもろさを減らすための、アリール−及びヘテロシクリルアニリド、カルバメート、ジカルボキシイミド、ストロビルリン、アゾール並びにモルホリンから選択される殺菌剤の使用。
【請求項７】
種子油科作物がアブラナ、ターニップレイプ、マスタード、オイルラディッシュ、アマナズナ、キバナスズシロ、ハマナ、ヒマワリ、ベニバナ、アザミ、キンセンカ、大豆、ルピナス、アマ、アサ、オイルパンプキン及びポピーから選択される、請求項６に記載の使用。
【請求項８】
殺菌剤がアリール−及びヘテロシクリルアニリド、アゾール、ストロビルリン並びにそれらの混合物から選択される、請求項１〜７のいずれか１項に記載の使用。
【請求項９】
アリール−及びヘテロシクリルアニリドが式Ｉ：
Ａ−ＣＯ−ＮＨＲ１
［式中、
Ａはアリール基、又は環員としてＯ、Ｓ、Ｎ及びＮＲ２（ここで、Ｒ２は水素又はＣ１−Ｃ８−アルキルである）から選択される１〜３個のヘテロ原子若しくはヘテロ原子含有基を含む芳香族若しくは非芳香族の５員若しくは６員のヘテロ環であり、前記アリール基又はヘテロ環はハロゲン、Ｃ１−Ｃ８−アルキル、Ｃ１−Ｃ８−ハロアルキル、Ｃ１−Ｃ８−アルコキシ、Ｃ１−Ｃ８−ハロアルコキシ、Ｃ１−Ｃ８−アルキルチオ、Ｃ１−Ｃ８−アルキルスルフィニル及びＣ１−Ｃ８−アルキルスルホニルから相互に独立して選択される１、２又は３個の置換基を有していてもよく；
Ｒ１はＣ１−Ｃ８−アルキル、Ｃ２−Ｃ８−アルケニル、Ｃ２−Ｃ８−アルキニル、Ｃ１−Ｃ８−アルコキシ、Ｃ２−Ｃ８−アルケニルオキシ、Ｃ２−Ｃ８−アルキニルオキシ、Ｃ３−Ｃ８−シクロアルキル、Ｃ３−Ｃ８−シクロアルケニル、Ｃ３−Ｃ８−シクロアルキルオキシ、Ｃ３−Ｃ８−シクロアルケニルオキシ、フェニル及びハロゲンから相互に独立して選択される１、２又は３個の置換基を有していてもよいフェニル基であり、前記脂肪族及びシクロ脂肪族基は部分的若しくは完全にハロゲン化されていてもよく、並びに／又は前記シクロ脂肪族基は１、２又は３個のＣ１−Ｃ８−アルキル基で置換されていてもよく、前記フェニルは１〜５個のハロゲン原子並びに／又はＣ１−Ｃ８−アルキル、Ｃ１−Ｃ８−ハロアルキル、Ｃ１−Ｃ８−アルコキシ、Ｃ１−Ｃ８−ハロアルコキシ、Ｃ１−Ｃ８−アルキルチオ及びＣ１−Ｃ８−ハロアルキルチオから相互に独立して選択される１、２又は３個の置換基で置換されていてもよく、アミドフェニル基Ｒ１は、１、２又は３個のＣ１−Ｃ８−アルキル基で置換されていてもよく且つ／或いは環員としてＯ及びＳから選択されるヘテロ原子を含有していてもよい飽和５員環に縮合していてもよい］
を有する化合物から選択される、請求項１〜８のいずれか１項に記載の使用。
【請求項１０】
式Ｉを有するアニリドが式Ｉ．１：
【化１】
2009525373.tif 000023
［式中、Ａは式Ａ１〜Ａ８：
【化２】
2009525373.tif 000024
（式中、
ＸはＣＨ２、Ｓ、ＳＯ又はＳＯ２であり；
Ｒ３はＣＨ３、ＣＨＦ２、ＣＦ３、Ｃｌ、Ｂｒ又はＩであり；
Ｒ４はＣＦ３又はＣｌであり；
Ｒ５は水素又はＣＨ３であり；
Ｒ６はＣＨ３、ＣＨＦ２、ＣＦ３又はＣｌであり；
Ｒ７は水素、ＣＨ３又はＣｌであり；
Ｒ８はＣＨ３、ＣＨＦ２又はＣＦ３であり；
Ｒ９は水素、ＣＨ３、ＣＨＦ２、ＣＦ３又はＣｌである）
を有する基であり、
Ｒ１０はＣ１−Ｃ４−アルキル、Ｃ１−Ｃ４−アルコキシ、Ｃ１−Ｃ４−アルキルチオ又はハロゲンである］
を有するアニリドから選択される、請求項９に記載の使用。
【請求項１１】
Ａが基Ａ２（式中、Ｒ４はハロゲンである）であり、Ｒ１０がハロゲンである、請求項１０に記載の使用。
【請求項１２】
アニリドＩが式Ｉ．１．１及びＩ．１．２：
【化３】
2009525373.tif 000025
を有するアニリドから選択される、請求項１１に記載の使用。
【請求項１３】
アゾールがフルシラゾール、メトコナゾール、プロチオコナゾール及びテブコナゾールから選択される、請求項１〜１２のいずれか１項に記載の使用。
【請求項１４】
ストロビルリンがアゾキシストロビン、ジモキシストロビン及びピラクロストロビンから選択される、請求項１〜１３のいずれか１項に記載の使用。
【請求項１５】
油科作物がアブラナ及びターニップレイプから選択される、請求項１〜１４のいずれか１項に記載の使用。
【請求項１６】
生育相中の油科作物又はその植物部分、或いはその種子を請求項１又は８〜１４のいずれか１項に記載の少なくとも１つの殺菌剤で処理し、油科作物産物を得る、油科作物産物の品質及び適当ならば量を増加させる方法であって、前記品質の増加が以下の基準：
(i)少なくとも１つの油脂植物産物のリン含量の減少；
(ii)少なくとも１つの油脂植物産物のアルカリ金属及び／又はアルカリ土類金属含量の減少；
(iii)少なくとも１つの油脂植物産物の酸化に対する安定性の増加；
(iv)少なくとも１つの油脂植物産物の全体的汚染の減少；
(v)少なくとも１つの油脂植物産物のヨウ素価の低下；
(vi)少なくとも１つの油脂植物産物の酸価の低下；
(vii)少なくとも１つの油脂植物産物の動粘度の低下；
(viii)少なくとも１つの油脂植物産物の硫黄含量の減少；
(ix)少なくとも１つの油脂植物産物の引火点の上昇；
(x)少なくとも１つの油脂植物産物の真発熱量の増加；
(xi)少なくとも１つの油脂植物産物のコークス残留物の減少；
(xii)少なくとも１つの油脂植物産物のセタン価の上昇；
(xiii)少なくとも１つの油脂植物産物の窒素含量の減少；
(xiv)少なくとも１つの油脂植物産物の塩素含量の減少；並びに
(xv)少なくとも１つの油脂植物産物の錫、亜鉛、ケイ素及び／又はホウ素含量の減少；
から選択される前記方法。
【請求項１７】
生育相中の種子油科作物又はその植物部分、或いはその種子を請求項１又は８〜１４のいずれか１項に記載の少なくとも１つの殺菌剤で処理する、種子油科作物の種皮のもろさを減らす方法。
【請求項１８】
殺菌剤を５〜３０００ｇの各活性物質／ｈａ／シーズンの施用率で使用する、請求項１６又は１７に記載の方法。
【請求項１９】
請求項１６に記載の方法により得られる油科作物産物を含む再生可能燃料であって、該油科作物産物が油及びＣ１−Ｃ４−アルコールとの少なくとも１つのそのエステル交換反応生成物から選択される上記再生可能燃料。
【請求項２０】
エンジン又は炉設備を少なくともある程度まで請求項１６に記載の方法により得られる油科作物産物又は請求項１９に記載の再生可能燃料を用いて作動させる、エンジン及び炉設備における燃焼を改善する方法。
【国際調査報告】
2009525373.tif 000026
2009525373.tif 000027
2009525373.tif 000028
2009525373.tif 000029
2009525373.tif 000030
2009525373.tif 000031